(57)【要約】【課題】  コストが低く、記録物の記録品質に優れ、かつブリーディングを効果的に防止可能なインクジェット記録方法を提供する。【解決手段】  二種類以上のインクを含むインクセットからインクＡ、Ｂ及びＣを選択するインクジェット記録方法において、下記凝集度Ｇ（ＡＢ）を凝集度データから導出し（ステップＳ１）、前記凝集度Ｇ（ＡＢ）に基づき、前記凝集度データから、下記条件（Ｉ）を満たすように、前記インクＣを選択し（ステップＳ２）、前記インクＣにより、前記インクＡにより形成された記録部Ａと前記インクＢにより形成された記録部Ｂの境界に境界部Ｃを記録する（ステップＳ３）。 条件（Ｉ）：Ｇ（ＡＣ）＞Ｇ（ＡＢ）及びＧ（ＢＣ）＞Ｇ（ＡＢ）の少なくとも一方を満たす。Ｇ（ＡＣ）：インクＡ及びインクＣが接触した場合の凝集度Ｇ（ＢＣ）：インクＢ及びインクＣが接触した場合の凝集度Ｇ（ＡＢ）：インクＡ及びインクＢが接触した場合の凝集度 【選択図】  図１
2010149344.tif 000002
【特許請求の範囲】
【請求項１】
二種類以上のインクを含むインクセットから選択された少なくとも一つのインクを用いて記録するインクジェット記録方法であって、
前記インクセットから選択された少なくとも一つのインクから構成されたインクＡにより記録部Ａを形成する記録部Ａ形成工程と、
前記インクセットから選択された少なくとも一つのインクから構成され、かつ前記インクＡの構成とは異なる構成のインクＢにより記録部Ｂを形成する記録部Ｂ形成工程と、
前記インクセットから選択された少なくとも一つのインクから構成され、かつ前記インクＡおよび前記インクＢの構成とは異なる構成のインクＣにより、前記記録部Ａおよび前記記録部Ｂの境界に境界部Ｃを形成する境界部Ｃ形成工程とを含み、
前記インクＡおよび前記インクＢの少なくとも一方のインクが、顔料を含み、
前記境界部Ｃ形成工程は、下記条件（Ｉ）を満足するように、前記インクセットから少なくとも一つのインクを選択して前記インクＣを構成するインクＣ構成工程を含むことを特徴とするインクジェット記録方法。
条件（Ｉ）：下記式（１）および下記式（２）の少なくとも一方を満たす。
Ｇ（ＡＣ）＞Ｇ（ＡＢ）      （１）
Ｇ（ＢＣ）＞Ｇ（ＡＢ）      （２）
Ｇ（ＡＣ）：前記インクＡおよび前記インクＣが接触した場合の凝集度
Ｇ（ＢＣ）：前記インクＢおよび前記インクＣが接触した場合の凝集度
Ｇ（ＡＢ）：前記インクＡおよび前記インクＢが接触した場合の凝集度
【請求項２】
前記インクＣ構成工程は、
前記インクセットの各インクが相互に接触した場合の凝集度データから、前記Ｇ（ＡＢ）を導出する凝集度導出工程と、
導出された前記Ｇ（ＡＢ）に基づき、前記凝集度データから、前記条件（Ｉ）を満たす前記インクＣを構成するインクを選択するインク選択工程とを含む請求項１記載のインクジェット記録方法。
【請求項３】
前記インクＣ構成工程において、前記条件（Ｉ）に加え、さらに、下記条件（ＩＩ）を満足するように、前記インクセットから少なくとも一つのインクを選択して前記インクＣを構成する請求項２記載のインクジェット記録方法。
条件（ＩＩ）：下記式（３）を満たす場合は、前記式（１）を満たし、または、下記式（４）を満たす場合は、前記式（２）を満たす。
Ｌ＊（Ａ）＜Ｌ＊（Ｂ）          （３）
Ｌ＊（Ａ）＞Ｌ＊（Ｂ）          （４）
Ｌ＊（Ａ）：前記インクＡの明度Ｌ＊
Ｌ＊（Ｂ）：前記インクＢの明度Ｌ＊
【請求項４】
前記インクＣ構成工程は、
さらに、前記インクセットの各インクの明度データから、前記Ｌ＊（Ａ）および前記Ｌ＊（Ｂ）を導出する明度導出工程と、
導出された前記Ｇ（ＡＢ）、前記Ｌ＊（Ａ）および前記Ｌ＊（Ｂ）に基づき、前記凝集度データから、前記条件（ＩＩ）を満たす前記インクＣを構成するインクを選択する明度選択工程とを含む請求項３記載のインクジェット記録方法。
【請求項５】
前記インクＣ構成工程において、前記条件（Ｉ）に加え、さらに、下記条件（ＩＩ）を満足するように、前記インクセットから少なくとも一つのインクを選択して前記インクＣを構成する請求項１記載のインクジェット記録方法。
条件（ＩＩ）：下記式（３）を満たす場合は、前記式（１）を満たし、または、下記式（４）を満たす場合は、前記式（２）を満たす。
Ｌ＊（Ａ）＜Ｌ＊（Ｂ）          （３）
Ｌ＊（Ａ）＞Ｌ＊（Ｂ）          （４）
Ｌ＊（Ａ）：前記インクＡの明度Ｌ＊
Ｌ＊（Ｂ）：前記インクＢの明度Ｌ＊
【請求項６】
前記インクＣ構成工程は、
さらに、前記インクセットの各インクの明度データから、前記Ｌ＊（Ａ）および前記Ｌ＊（Ｂ）を導出する明度導出工程と、
導出された前記Ｌ＊（Ａ）および前記Ｌ＊（Ｂ）に基づき、前記条件（ＩＩ）を満たす前記インクＣを構成するインクを選択する明度選択工程とを含む請求項５記載のインクジェット記録方法。
【請求項７】
前記インクＣ構成工程において、前記条件（Ｉ）を満たす前記インクＣが複数存在する場合、さらに、下記条件（ＩＩＩ）を満足するように、前記複数のインクＣから一つのインクＣを選択する請求項１〜６のいずれか一項に記載のインクジェット記録方法。
条件（ＩＩＩ）：前記インクＡと前記インクＣとの色差ΔＥ（ＡＣ）および前記インクＢと前記インクＣとの色差ΔＥ（ＢＣ）の少なくとも一方の色差ΔＥが、最小となる。
【請求項８】
前記インクＣ構成工程は、
さらに、前記インクセットの各インクの色相データから、前記色差ΔＥ（ＡＣ）および前記色差ΔＥ（ＢＣ）を導出する色差導出工程と、
導出された前記色差ΔＥ（ＡＣ）および前記色差ΔＥ（ＢＣ）に基づき、前記複数のインクＣの中から、前記条件（ＩＩＩ）を満たす前記インクＣを選択する色差選択工程とを含む請求項７記載のインクジェット記録方法。
【請求項９】
前記インクＡおよび前記インクＢの少なくとも一方のインクが、黒顔料を含む水性黒色インクを含む請求項１〜８のいずれか一項に記載のインクジェット記録方法。
【請求項１０】
インク収容部およびインク吐出手段を含み、
前記インク収容部には、二種類以上のインクがインクセットとして収容され、
前記インクセットから選択された少なくとも一つのインクを用いて記録するインクジェット記録装置であって、
さらに、前記インク吐出手段を制御する制御手段を含み、
前記制御手段は、
前記インクセットから選択された少なくとも一つのインクから構成されたインクＡにより記録部Ａを形成する記録部Ａ形成手段と、
前記インクセットから選択された少なくとも一つのインクから構成され、かつ前記インクＡの構成とは異なる構成のインクＢにより記録部Ｂを形成する記録部Ｂ形成手段と、
前記インクセットから選択された少なくとも一つのインクから構成され、かつ前記インクＡおよび前記インクＢの構成とは異なる構成のインクＣにより、前記記録部Ａおよび前記記録部Ｂの境界部に境界部Ｃを形成する境界部Ｃ形成手段とを含み、
前記インクＡおよび前記インクＢの少なくとも一方のインクが、顔料を含み、
前記境界部Ｃ形成手段は、下記条件（Ｉ）を満足するように、前記インクセットから少なくとも一つのインクを選択して前記インクＣを構成するインクＣ構成手段を含むことを特徴とするインクジェット記録装置。
条件（Ｉ）：下記式（１）および下記式（２）の少なくとも一方を満たす。
Ｇ（ＡＣ）＞Ｇ（ＡＢ）      （１）
Ｇ（ＢＣ）＞Ｇ（ＡＢ）      （２）
Ｇ（ＡＣ）：前記インクＡおよび前記インクＣが接触した場合の凝集度
Ｇ（ＢＣ）：前記インクＢおよび前記インクＣが接触した場合の凝集度
Ｇ（ＡＢ）：前記インクＡおよび前記インクＢが接触した場合の凝集度
【請求項１１】
さらに、データ記憶手段を含み、
前記データ記憶手段には、前記インクセットの各インクが相互に接触した場合の凝集度データが格納され、
前記インクＣ構成手段は、
前記凝集度データから、前記Ｇ（ＡＢ）を導出する凝集度導出手段と、
導出された前記Ｇ（ＡＢ）に基づき、前記凝集度データから、前記条件（Ｉ）を満たす前記インクＣを構成するインクを選択するインク選択手段とを含む請求項１０記載のインクジェット記録装置。
【請求項１２】
前記インクＣ構成手段において、前記条件（Ｉ）に加え、さらに、下記条件（ＩＩ）を満足するように、前記インクセットから少なくとも一つのインクを選択して前記インクＣを構成する請求項１１記載のインクジェット記録装置。
条件（ＩＩ）：下記式（３）を満たす場合は、前記式（１）を満たし、または、下記式（４）を満たす場合は、前記式（２）を満たす。
Ｌ＊（Ａ）＜Ｌ＊（Ｂ）          （３）
Ｌ＊（Ａ）＞Ｌ＊（Ｂ）          （４）
Ｌ＊（Ａ）：前記インクＡの明度Ｌ＊
Ｌ＊（Ｂ）：前記インクＢの明度Ｌ＊
【請求項１３】
前記データ記憶手段には、さらに、前記インクセットの各インクの明度データが格納され、
前記インクＣ構成手段は、さらに、前記明度データから、前記Ｌ＊（Ａ）および前記Ｌ＊（Ｂ）を導出する明度導出手段と、
導出された前記Ｇ（ＡＢ）、前記Ｌ＊（Ａ）および前記Ｌ＊（Ｂ）に基づき、前記凝集度データから、前記条件（ＩＩ）を満たす前記インクＣを構成するインクを選択する明度選択手段とを含む請求項１２記載のインクジェット記録装置。
【請求項１４】
前記インクＣ構成手段において、前記条件（Ｉ）に加え、さらに、下記条件（ＩＩ）を満足するように、前記インクセットから少なくとも一つのインクを選択して前記インクＣを構成する請求項１０記載のインクジェット記録装置。
条件（ＩＩ）：下記式（３）を満たす場合は、前記式（１）を満たし、または、下記式（４）を満たす場合は、前記式（２）を満たす。
Ｌ＊（Ａ）＜Ｌ＊（Ｂ）          （３）
Ｌ＊（Ａ）＞Ｌ＊（Ｂ）          （４）
Ｌ＊（Ａ）：前記インクＡの明度Ｌ＊
Ｌ＊（Ｂ）：前記インクＢの明度Ｌ＊
【請求項１５】
さらに、データ記憶手段を含み、
前記データ記憶手段には、前記インクセットの各インクの明度データが格納され、
前記インクＣ構成手段は、
前記明度データから、前記Ｌ＊（Ａ）および前記Ｌ＊（Ｂ）を導出する明度導出手段と、
導出された前記Ｌ＊（Ａ）および前記Ｌ＊（Ｂ）に基づき、前記条件（ＩＩ）を満たす前記インクＣを構成するインクを選択する明度選択手段とを含む請求項１４記載のインクジェット記録装置。
【請求項１６】
前記インクＣ構成手段において、前記条件（Ｉ）を満たす前記インクＣが複数存在する場合、さらに、下記条件（ＩＩＩ）を満足するように、前記複数のインクＣから一つのインクＣを選択する請求項１０〜１５のいずれか一項に記載のインクジェット記録装置。
条件（ＩＩＩ）：前記インクＡと前記インクＣとの色差ΔＥ（ＡＣ）および前記インクＢと前記インクＣとの色差ΔＥ（ＢＣ）の少なくとも一方の色差ΔＥが、最小となる。
【請求項１７】
前記データ記憶手段には、さらに、前記インクセットの各インクの色相データが格納され、
前記インクＣ構成手段は、さらに、前記色相データから、前記色差ΔＥ（ＡＣ）および前記色差ΔＥ（ＢＣ）を導出する色差導出手段と、
導出された前記色差ΔＥ（ＡＣ）および前記色差ΔＥ（ＢＣ）に基づき、前記複数のインクＣの中から、前記条件（ＩＩＩ）を満たす前記インクＣを選択する色差選択手段とを含む請求項１６記載のインクジェット記録装置。
【請求項１８】
前記インクＡおよび前記インクＢの少なくとも一方のインクが、黒顔料を含む水性黒色インクを含む請求項１０〜１７のいずれか一項に記載のインクジェット記録装置。
【発明の詳細な説明】
【技術分野】
【０００１】
本発明は、インクジェット記録方法およびインクジェット記録装置に関する。
【背景技術】
【０００２】
インクジェット記録をする場合、異なる配色の領域間の境界部において、インクが滲むブリーディングが生じる場合がある。前記ブリーディングが生じると、カラー画像の記録品質が低下する。前記ブリーディングを抑制するために、例えば、前記境界部に用いるインクを、浸透性により選択する技術（特許文献１）、前記境界部に反応性カラーインクを用いる技術（特許文献２）、前記境界部にプリント性向上液を塗布する技術（特許文献３）および前記境界部に記録をしない間引き領域を形成する技術（特許文献４）がある。
【特許文献１】特開平９−１９３５２９号公報
【特許文献２】特開２００２−７９６９５号公報
【特許文献３】特開平８−２１６３８９号公報
【特許文献４】特開２００８−９５９号公報
【発明の開示】
【発明が解決しようとする課題】
【０００３】
しかし、上述の技術には、つぎの問題がある。まず、前記境界部に用いるインクを、浸透性により選択する技術では、ブリーディング防止効果が不充分という問題がある。また、前記反応性カラーインクを用いる技術および前記プリント性向上液を用いる技術では、インクとは別に、前記反応性カラーインクおよび前記プリント性向上液を用意する必要があり、インクジェット記録装置においても、そのための機構が必要となり、コストが高くなる。そして、前記境界部に間引き領域を形成する技術では、前記間引き領域の色が、記録用紙の色（通常は白色）に限定されるため、記録品質に問題がある。
【０００４】
そこで、本発明は、コストが低く、記録物の記録品質に優れ、かつブリーディングを効果的に防止可能なインクジェット記録方法およびインクジェット記録装置を提供することを目的とする。
【課題を解決するための手段】
【０００５】
本発明のインクジェット記録方法は、二種類以上のインクを含むインクセットから選択された少なくとも一つのインクを用いて記録するインクジェット記録方法であって、前記インクセットから選択された少なくとも一つのインクから構成されたインクＡにより記録部Ａを形成する記録部Ａ形成工程と、前記インクセットから選択された少なくとも一つのインクから構成され、かつ前記インクＡの構成とは異なる構成のインクＢにより記録部Ｂを形成する記録部Ｂ形成工程と、前記インクセットから選択された少なくとも一つのインクから構成され、かつ前記インクＡおよび前記インクＢの構成とは異なる構成のインクＣにより、前記記録部Ａおよび前記記録部Ｂの境界に境界部Ｃを形成する境界部Ｃ形成工程とを含み、前記インクＡおよび前記インクＢの少なくとも一方のインクが、顔料を含み、前記境界部Ｃ形成工程は、下記条件（Ｉ）を満足するように、前記インクセットから少なくとも一つのインクを選択して前記インクＣを構成するインクＣ構成工程を含むことを特徴とする。
条件（Ｉ）：下記式（１）および下記式（２）の少なくとも一方を満たす。
Ｇ（ＡＣ）＞Ｇ（ＡＢ）      （１）
Ｇ（ＢＣ）＞Ｇ（ＡＢ）      （２）
Ｇ（ＡＣ）：前記インクＡおよび前記インクＣが接触した場合の凝集度
Ｇ（ＢＣ）：前記インクＢおよび前記インクＣが接触した場合の凝集度
Ｇ（ＡＢ）：前記インクＡおよび前記インクＢが接触した場合の凝集度
【０００６】
本発明のインクジェット記録装置は、インク収容部およびインク吐出手段を含み、前記インク収容部には、二種類以上のインクがインクセットとして収容され、前記インクセットから選択された少なくとも一つのインクを用いて記録するインクジェット記録装置であって、さらに、前記インク吐出手段を制御する制御手段を含み、前記制御手段は、前記インクセットから選択された少なくとも一つのインクから構成されたインクＡにより記録部Ａを形成する記録部Ａ形成手段と、前記インクセットから選択された少なくとも一つのインクから構成され、かつ前記インクＡの構成とは異なる構成のインクＢにより記録部Ｂを形成する記録部Ｂ形成手段と、前記インクセットから選択された少なくとも一つのインクから構成され、かつ前記インクＡおよび前記インクＢの構成とは異なる構成のインクＣにより、前記記録部Ａおよび前記記録部Ｂの境界部に境界部Ｃを形成する境界部Ｃ形成手段とを含み、前記インクＡおよび前記インクＢの少なくとも一方のインクが、顔料を含み、前記境界部Ｃ形成手段は、下記条件（Ｉ）を満足するように、前記インクセットから少なくとも一つのインクを選択して前記インクＣを構成するインクＣ構成手段を含むことを特徴とする。
条件（Ｉ）：下記式（１）および下記式（２）の少なくとも一方を満たす。
Ｇ（ＡＣ）＞Ｇ（ＡＢ）      （１）
Ｇ（ＢＣ）＞Ｇ（ＡＢ）      （２）
Ｇ（ＡＣ）：前記インクＡおよび前記インクＣが接触した場合の凝集度
Ｇ（ＢＣ）：前記インクＢおよび前記インクＣが接触した場合の凝集度
Ｇ（ＡＢ）：前記インクＡおよび前記インクＢが接触した場合の凝集度
【発明の効果】
【０００７】
本発明では、前記記録部Ａおよび前記記録部Ｂの境界に、記録用のインクを用いて前記境界部Ｃを形成する。このため、本発明では、インクとは別に特殊な処理液を用いることがなく、特別な機構も必要ないため、コストを低くすることが可能である。また、本発明では、前記境界部Ｃを形成するインクを、凝集度により選択するため、ブリーディングの防止効果が高い。しかも、本発明では、前記境界部Ｃの色相は調整可能であるため、記録物の記録品質を高くすることが可能である。
【発明を実施するための最良の形態】
【０００８】
本発明のインクジェット記録方法において、前記インクＣ構成工程は、前記インクセットの各インクが相互に接触した場合の凝集度データから、前記凝集度Ｇ（ＡＢ）を導出する凝集度導出工程と、導出された前記凝集度Ｇ（ＡＢ）に基づき、前記凝集度データから、前記条件（Ｉ）を満たす前記インクＣを構成するインクを選択するインク選択工程とを含むことが好ましい。
【０００９】
本発明のインクジェット記録方法において、前記インクＣ構成工程は、前記条件（Ｉ）に加え、さらに、下記条件（ＩＩ）を満足するように、前記インクセットから少なくとも一つのインクを選択して前記インクＣを構成することが好ましい。
条件（ＩＩ）：下記式（３）を満たす場合は、前記式（１）を満たし、または、下記式（４）を満たす場合は、前記式（２）を満たす。
Ｌ＊（Ａ）＜Ｌ＊（Ｂ）          （３）
Ｌ＊（Ａ）＞Ｌ＊（Ｂ）          （４）
Ｌ＊（Ａ）：前記インクＡの明度Ｌ＊
Ｌ＊（Ｂ）：前記インクＢの明度Ｌ＊
【００１０】
本発明において、前記条件（ＩＩ）の「明度Ｌ＊」は、例えば、１９７６年に国際照明委員会（ＣＩＥ）で規格化されたＬ＊ａ＊ｂ＊表色系（ＣＩＥ１９７６（Ｌ＊ａ＊ｂ＊）表色系）に基づくＬ＊値（ＪＩＳ  Ｚ  ８７２９参照）を採用してもよい。
【００１１】
本発明において、前記明度Ｌ＊（Ａ）は、例えば、前記インクＡそのものの明度であってもよいし、前記記録部Ａの明度であってもよい。同様に、本発明において、前記明度Ｌ＊（Ｂ）は、例えば、前記インクＢそのものの明度であってもよいし、前記記録部Ｂの明度であってもよい。前記インクＡおよび前記インクＢそのものの明度は、例えば、市販の分光測色計を用いて透過により測定できる。また、前記記録部Ａおよび前記記録部Ｂの明度は、例えば、市販の分光測色計を用いて反射により測定できる。
【００１２】
本発明のインクジェット記録方法において、前記凝集度データおよび前記条件（ＩＩ）を用いる場合、前記インクＣ構成工程は、さらに、前記インクセットの各インクの明度データから、前記明度Ｌ＊（Ａ）および前記明度Ｌ＊（Ｂ）を導出する明度導出工程と、導出された前記凝集度Ｇ（ＡＢ）、前記明度Ｌ＊（Ａ）および前記明度Ｌ＊（Ｂ）に基づき、前記凝集度データから、前記条件（ＩＩ）を満たす前記インクＣを構成するインクを選択する明度選択工程とを含むことが好ましい。
【００１３】
本発明のインクジェット記録方法において、前記条件（ＩＩ）を用いる場合、前記インクＣ構成工程は、前記インクセットの各インクの明度データから、前記明度Ｌ＊（Ａ）および前記明度Ｌ＊（Ｂ）を導出する明度導出工程と、導出された前記明度Ｌ＊（Ａ）および前記明度Ｌ＊（Ｂ）に基づき、前記条件（Ｉ）および前記条件（ＩＩ）を満たす前記インクＣを構成するインクを選択する明度選択工程とを含むことが好ましい。
【００１４】
本発明のインクジェット記録方法において、前記インクＣ構成工程は、前記条件（Ｉ）を満たす前記インクＣが複数存在する場合、さらに、下記条件（ＩＩＩ）を満足するように、前記複数のインクＣから一つのインクＣを選択することが好ましい。
条件（ＩＩＩ）：前記インクＡと前記インクＣとの色差ΔＥ（ＡＣ）および前記インクＢと前記インクＣとの色差ΔＥ（ＢＣ）の少なくとも一方の色差ΔＥが、最小となる。
【００１５】
本発明において、前記条件（ＩＩＩ）の「色差ΔＥ」は、例えば、１９７６年に国際照明委員会（ＣＩＥ）で規格化されたＬ＊ａ＊ｂ＊表色系（ＣＩＥ１９７６（Ｌ＊ａ＊ｂ＊）表色系）に基づき、下記式で算出されるもの（ＪＩＳ  Ｚ  ８７２９参照）を採用してもよい。
ΔＥ＝｛（ΔＬ＊）２＋（Δａ＊）２＋（Δｂ＊）２｝１／２
ΔＬ＊：２種類のインク間のＬ＊値の差
Δａ＊：２種類のインク間のａ＊値の差
Δｂ＊：２種類のインク間のｂ＊値の差
【００１６】
本発明において、前記色差ΔＥ（ＡＣ）は、例えば、前記インクＡおよび前記インクＣそのもののＬ＊値、ａ＊値およびｂ＊値から算出されたものであってもよいし、前記記録部Ａおよび前記境界部ＣのＬ＊値、ａ＊値およびｂ＊値から算出されたものであってもよい。同様に、本発明において、前記色差ΔＥ（ＢＣ）は、例えば、前記インクＢおよび前記インクＣそのもののＬ＊値、ａ＊値およびｂ＊値から算出されたものであってもよいし、前記記録部Ｂおよび前記境界部ＣのＬ＊値、ａ＊値およびｂ＊値から算出されたものであってもよい。前記インクＡ、前記インクＢおよび前記インクＣそのもののＬ＊値、ａ＊値およびｂ＊値は、例えば、市販の分光測色計を用いて透過により測定できる。また、前記記録部Ａ、前記記録部Ｂおよび前記境界部ＣのＬ＊値、ａ＊値およびｂ＊値は、例えば、市販の分光測色計を用いて反射により測定できる。
【００１７】
本発明のインクジェット記録方法において、前記条件（ＩＩＩ）を用いる場合、前記インクＣ構成工程は、さらに、前記インクセットの各インクの色相データから、前記色差ΔＥ（ＡＣ）および前記色差ΔＥ（ＢＣ）を導出する色差導出工程と、導出された前記色差ΔＥ（ＡＣ）および前記色差ΔＥ（ＢＣ）に基づき、前記複数のインクＣの中から、前記条件（ＩＩＩ）を満たす前記インクＣを選択する色差選択工程とを含むことが好ましい。
【００１８】
本発明のインクジェット記録方法において、前記インクＡおよび前記インクＢの少なくとも一方のインクが、黒顔料を含む水性黒色インクを含むことが好ましい。
【００１９】
本発明のインクジェット記録方法では、前記インクＣ構成工程において、記録関連情報を参照して、前記インクＣを構成するインクを選択してもよい。前記記録関連情報としては、例えば、前記記録部Ａ、前記記録部Ｂおよび前記境界部Ｃを形成する被記録媒体に関する情報（例えば、前記被記録媒体の色、材質等）、記録に用いるインクの種類等があげられる。前記被記録媒体の色は、特に限定されず、白色であってもよいし、有色（例えば、青、緑、黄等）であってもよい。前記白色の被記録媒体としては、例えば、Ｌ＊値が９０以上の被記録媒体を採用してもよい。
【００２０】
本発明のインクジェット記録装置において、さらに、データ記憶手段を含み、前記データ記憶手段には、前記インクセットの各インクが相互に接触した場合の凝集度データが格納され、前記インクＣ構成手段は、前記凝集度データから、前記凝集度Ｇ（ＡＢ）を導出する凝集度導出手段と、導出された前記凝集度Ｇ（ＡＢ）に基づき、前記凝集度データから、前記条件（Ｉ）を満たす前記インクＣを構成するインクを選択するインク選択手段とを含むことが好ましい。
【００２１】
本発明のインクジェット記録装置において、前記インクＣ構成手段は、前記条件（Ｉ）に加え、さらに、下記条件（ＩＩ）を満足するように、前記インクセットから少なくとも一つのインクを選択して前記インクＣを構成することが好ましい。
条件（ＩＩ）：下記式（３）を満たす場合は、前記式（１）を満たし、または、前記式（４）を満たす場合は、下記式（２）を満たす。
Ｌ＊（Ａ）＜Ｌ＊（Ｂ）          （３）
Ｌ＊（Ａ）＞Ｌ＊（Ｂ）          （４）
Ｌ＊（Ａ）：前記インクＡの明度Ｌ＊
Ｌ＊（Ｂ）：前記インクＢの明度Ｌ＊
【００２２】
本発明のインクジェット記録装置において、前記凝集度データおよび前記条件（ＩＩ）を用いる場合、前記データ記憶手段には、さらに、前記インクセットの各インクの明度データが格納され、前記インクＣ構成手段は、さらに、前記明度データから、前記明度Ｌ＊（Ａ）および前記明度Ｌ＊（Ｂ）を導出する明度導出手段と、導出された前記凝集度Ｇ（ＡＢ）、前記明度Ｌ＊（Ａ）および前記明度Ｌ＊（Ｂ）に基づき、前記凝集度データから、前記条件（ＩＩ）を満たす前記インクＣを構成するインクを選択する明度選択手段とを含むことが好ましい。
【００２３】
本発明のインクジェット記録装置において、前記条件（ＩＩ）を用いる場合、さらに、データ記憶手段を含み、前記データ記憶手段には、前記インクセットの各インクの明度データが格納され、前記インクＣ構成手段は、前記明度データから、前記明度Ｌ＊（Ａ）および前記明度Ｌ＊（Ｂ）を導出する明度導出手段と、導出された前記明度Ｌ＊（Ａ）および前記明度Ｌ＊（Ｂ）に基づき、前記条件（Ｉ）および前記条件（ＩＩ）を満たす前記インクＣを構成するインクを選択する明度選択手段とを含むことが好ましい。
【００２４】
本発明のインクジェット記録装置において、前記インクＣ構成手段は、前記条件（Ｉ）を満たす前記インクＣが複数存在する場合、さらに、下記条件（ＩＩＩ）を満足するように、前記複数のインクＣから一つのインクＣを選択することが好ましい。
条件（ＩＩＩ）：前記インクＡと前記インクＣとの色差ΔＥ（ＡＣ）および前記インクＢと前記インクＣとの色差ΔＥ（ＢＣ）の少なくとも一方の色差ΔＥが、最小となる。
【００２５】
本発明のインクジェット記録装置において、前記条件（ＩＩＩ）を用いる場合、前記データ記憶手段には、さらに、前記インクセットの各インクの色相データが格納され、前記インクＣ構成手段は、さらに、前記色相データから、前記色差ΔＥ（ＡＣ）および前記色差ΔＥ（ＢＣ）を導出する色差導出手段と、導出された前記色差ΔＥ（ＡＣ）および前記色差ΔＥ（ＢＣ）に基づき、前記複数のインクＣの中から、前記条件（ＩＩＩ）を満たす前記インクＣを選択する色差選択手段とを含むことが好ましい。
【００２６】
本発明のインクジェット記録装置において、前記インクＡおよび前記インクＢの少なくとも一方のインクが、黒顔料を含む水性黒色インクを含むことが好ましい。
【００２７】
本発明のインクジェット記録装置において、さらに、記録関連情報取得手段を含み、前記インクＣ構成手段は、前記記録関連情報取得手段により取得した記録関連情報を参照して、前記インクＣを構成するインクを選択してもよい。
【００２８】
つぎに、本発明のインクジェット記録方法およびインクジェット記録装置について、例をあげて、詳細に説明する。ただし、本発明は、以下の説明に制限および限定されない。
【００２９】
前述のように、本発明のインクジェット記録方法およびインクジェット記録装置では、前記インクセットから選択された少なくとも一つのインクを用いて被記録媒体に記録する。
【００３０】
前記インクセットを構成するインクは、例えば、水性インクがあげられる。前記水性インクは、着色剤および水を含む。
【００３１】
前記着色剤は、特に限定されず、顔料または染料のいずれであってもよい。また、前記着色剤として、顔料および染料を混合して用いてもよい。ただし、前記インクセットを構成するインクのうち少なくとも一つは、顔料を含む。
【００３２】
前記顔料は、特に限定されず、例えば、カーボンブラック、無機顔料および有機顔料等が使用できる。前記カーボンブラックとしては、例えば、ファーネスブラック、ランプブラック、アセチレンブラック、チャンネルブラック等があげられる。前記無機顔料としては、例えば、酸化チタン、酸化鉄系無機顔料およびカーボンブラック系無機顔料等をあげることができる。前記有機顔料としては、例えば、アゾレーキ、不溶性アゾ顔料、縮合アゾ顔料、キレートアゾ顔料等のアゾ顔料；フタロシアニン顔料、ペリレンおよびペリノン顔料、アントラキノン顔料、キナクリドン顔料、ジオキサジン顔料、チオインジゴ顔料、イソインドリノン顔料、キノフタロン顔料等の多環式顔料；塩基性染料型レーキ顔料、酸性染料型レーキ顔料等の染料レーキ顔料；ニトロ顔料、ニトロソ顔料、アニリンブラック昼光蛍光顔料等があげられる。また、その他の顔料であっても水相に分散可能なものであれば使用できる。これら顔料としては、例えば、Ｃ．Ｉ．ピグメントブラック１、６および７；Ｃ．Ｉ．ピグメントイエロー１、２、３、１２、１３、１４、１５、１６、１７、５５、７３、７４、７５、８３、９３、９４、９５、９７、９８、１１４、１２８、１２９、１３８、１５０、１５１、１５４、１８０、１８５および１９４；Ｃ．Ｉ．ピグメントオレンジ３１および４３；Ｃ．Ｉ．ピグメントレッド２、３、５、６、７、１２、１５、１６、４８、４８：１、５３：１、５７、５７：１、１１２、１２２、１２３、１３９、１４４、１４６、１４９、１６６、１６８、１７５、１７６、１７７、１７８、１８４、１８５、１９０、２０２、２２１、２２２、２２４および２３８；Ｃ．Ｉ．ピグメントバイオレット１９６；Ｃ．Ｉ．ピグメントブルー１、２、３、１５、１５：１、１５：２、１５：３、１５：４、１６、２２および６０；Ｃ．Ｉ．ピグメントグリーン７および３６等があげられる。
【００３３】
前記顔料は、自己分散型顔料を含んでもよい。前記自己分散型顔料は、例えば、顔料粒子の表面にカルボキシル基、カルボニル基、ヒドロキシル基、スルホン基等の親水性官能基およびそれらの塩の少なくとも一種が、直接または多価の基を介して化学結合により導入されていることによって、分散剤を使用しなくても水に分散可能なものである。
【００３４】
前記自己分散型顔料は、特に限定されず、例えば、特開平８−３４９８号公報、特表２０００−５１３３９６号公報等に記載の方法によって表面処理された自己分散型顔料を用いることができる。前記自己分散型顔料は、例えば、市販品を用いてもよい。前記市販品としては、例えば、キャボット・スペシャルティ・ケミカルズ社製の「ＣＡＢ−Ｏ−ＪＥＴ（登録商標）２００」、「ＣＡＢ−Ｏ−ＪＥＴ（登録商標）２５０」、「ＣＡＢ−Ｏ−ＪＥＴ（登録商標）２６０」、「ＣＡＢ−Ｏ−ＪＥＴ（登録商標）２７０」、「ＣＡＢ−Ｏ−ＪＥＴ（登録商標）３００」および「ＣＡＢ−Ｏ−ＪＥＴ（登録商標）７００」；オリエント化学工業（株）製の「ＢＯＮＪＥＴ（登録商標）ＢＬＡＣＫ  ＣＷ−１」、「ＢＯＮＪＥＴ（登録商標）ＢＬＡＣＫ  ＣＷ−２」および「ＢＯＮＪＥＴ（登録商標）ＢＬＡＣＫ  ＣＷ−３」；東洋インキ製造（株）製の「ＬＩＯＪＥＴ（登録商標）ＷＤ  ＢＬＡＣＫ  ００２Ｃ」；等があげられる。
【００３５】
前記自己分散型顔料の原料として用いることができる顔料は、特に限定されず、無機顔料および有機顔料のいずれも使用することができる。また、前記表面処理を行うのに適した無機顔料としては、例えば、三菱化学（株）製の「ＭＡ８」および「ＭＡ１００」；デグサ社製の「カラーブラックＦＷ２００」；等のカーボンブラックがあげられる。
【００３６】
前記水性インク全量に対する前記顔料の配合量（顔料割合）は、特に限定されず、例えば、所望の光学濃度または色彩等により、適宜決定できる。前記顔料割合は、例えば、０．１重量％〜２０重量％であり、好ましくは、１重量％〜１０重量％であり、より好ましくは、２重量％〜８重量％である。前記顔料は、１種類を単独で用いてもよいし、２種類以上を併用してもよい。
【００３７】
前記染料は、特に限定されず、例えば、直接染料、酸性染料、塩基性染料、反応性染料等があげられる。前記染料の具体例としては、例えば、Ｃ．Ｉ．ダイレクトブラック、Ｃ．Ｉ．ダイレクトブルー、Ｃ．Ｉ．ダイレクトレッド、Ｃ．Ｉ．ダイレクトイエロー、Ｃ．Ｉ．ダイレクトオレンジ、Ｃ．Ｉ．ダイレクトバイオレット、Ｃ．Ｉ．ダイレクトブラウン、Ｃ．Ｉ．ダイレクトグリーン、Ｃ．Ｉ．アシッドブラック、Ｃ．Ｉ．アシッドブルー、Ｃ．Ｉ．アシッドレッド、Ｃ．Ｉ．アシッドイエロー、Ｃ．Ｉ．アシッドオレンジ、Ｃ．Ｉ．アシッドバイオレット、Ｃ．Ｉ．ベーシックブラック、Ｃ．Ｉ．ベーシックブルー、Ｃ．Ｉ．ベーシックレッド、Ｃ．Ｉ．ベーシックバイオレットおよびＣ．Ｉ．フードブラック等があげられる。前記Ｃ．Ｉ．ダイレクトブラックとしては、例えば、Ｃ．Ｉ．ダイレクトブラック１７、１９、３２、５１、７１、１０８、１４６、１５４および１６８等があげられる。前記Ｃ．Ｉ．ダイレクトブルーとしては、例えば、Ｃ．Ｉ．ダイレクトブルー６、２２、２５、７１、８６、９０、１０６、１９９および３０７等があげられる。前記Ｃ．Ｉ．ダイレクトレッドとしては、例えば、Ｃ．Ｉ．ダイレクトレッド１、４、１７、２８、８３および２２７等があげられる。前記Ｃ．Ｉ．ダイレクトイエローとしては、例えば、Ｃ．Ｉ．ダイレクトイエロー１２、２４、２６、８６、９８、１３２、１４２および１７３等があげられる。前記Ｃ．Ｉ．ダイレクトオレンジとしては、例えば、Ｃ．Ｉ．ダイレクトオレンジ３４、３９、４４、４６および６０等があげられる。前記Ｃ．Ｉ．ダイレクトバイオレットとしては、例えば、Ｃ．Ｉダイレクトバイオレット４７および４８等があげられる。前記Ｃ．Ｉ．ダイレクトブラウンとしては、例えば、Ｃ．Ｉ．ダイレクトブラウン１０９等があげられる。前記Ｃ．Ｉ．ダイレクトグリーンとしては、例えば、Ｃ．Ｉ．ダイレクトグリーン５９等があげられる。前記Ｃ．Ｉ．アシッドブラックとしては、例えば、Ｃ．Ｉ．アシッドブラック２、７、２４、２６、３１、５２、６３、１１２および１１８等があげられる。前記Ｃ．Ｉ．アシッドブルーとしては、例えば、Ｃ．Ｉ．アシッドブルー９、２２、４０、５９、９３、１０２、１０４、１１７、１２０、１６７、２２９および２３４等があげられる。前記Ｃ．Ｉ．アシッドレッドとしては、例えば、Ｃ．Ｉ．アシッドレッド１、６、３２、３７、５１、５２、８０、８５、８７、９２、９４、１１５、１８０、２５６、２８９、３１５および３１７等があげられる。前記Ｃ．Ｉ．アシッドイエローとしては、例えば、Ｃ．Ｉ．アシッドイエロー１１、１７、２３、２５、２９、４２、６１および７１等があげられる。前記Ｃ．Ｉ．アシッドオレンジとしては、例えば、Ｃ．Ｉ．アシッドオレンジ７および１９等があげられる。前記Ｃ．Ｉ．アシッドバイオレットとしては、例えば、Ｃ．Ｉ．アシッドバイオレット４９等があげられる。前記Ｃ．Ｉ．ベーシックブラックとしては、例えば、Ｃ．Ｉ．ベーシックブラック２等があげられる。前記Ｃ．Ｉ．ベーシックブルーとしては、例えば、Ｃ．Ｉ．ベーシックブルー１、３、５、７、９、２４、２５、２６、２８および２９等があげられる。前記Ｃ．Ｉ．ベーシックレッドとしては、例えば、Ｃ．Ｉ．ベーシックレッド１、２、９、１２、１３、１４および３７等があげられる。前記Ｃ．Ｉ．ベーシックバイオレットとしては、例えば、Ｃ．Ｉ．ベーシックバイオレット７、１４および２７等があげられる。前記Ｃ．Ｉ．フードブラックとしては、例えば、Ｃ．Ｉ．フードブラック１および２等があげられる。これらの染料は、例えば、鮮明性、水溶性および安定性等の特性に優れる。
【００３８】
前記水性インク全量に対する前記染料の配合量（染料割合）は、特に限定されず、例えば、０．１重量％〜２０重量％であり、好ましくは、１重量％〜１０重量％であり、より好ましくは、２重量％〜８重量％である。前記染料は、１種類を単独で用いてもよいし、２種類以上を併用してもよい。
【００３９】
前記水は、イオン交換水または純水であることが好ましい。前記水性インク全量に対する前記水の配合量（水割合）は、所望のインク特性等に応じて適宜決定される。前記水割合は、例えば、他の成分の残部としてもよい。
【００４０】
前記水性インクは、さらに、インクジェットヘッドのノズル部におけるインクの乾燥を防止する湿潤剤および被記録媒体上での乾燥速度を調整する浸透剤を含むことができる。
【００４１】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール、アルキレングリコール、グリセリン等の多価アルコール；２−ピロリドン；Ｎ−メチル−２−ピロリドン；１，３−ジメチル−２−イミダゾリジノン等があげられる。前記ポリアルキレングリコールは、特に限定されず、例えば、ポリエチレングリコール、ポリプロピレングリコール等があげられる。前記アルキレングリコールは、特に限定されず、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの中でも、アルキレングリコール、グリセリン等の多価アルコールが好適である。前記湿潤剤は、１種類を単独で用いてもよいし、２種類以上を併用してもよい。
【００４２】
前記水性インク全量に対する前記湿潤剤の配合量（湿潤剤割合）は、特に限定されず、例えば、０重量％〜９５重量％であり、好ましくは、１０重量％〜８０重量％であり、より好ましくは、１０重量％〜５０重量％である。
【００４３】
前記浸透剤は、特に限定されず、例えば、グリコール系エーテルがあげられる。前記グリコール系エーテルは、特に限定されず、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル、トリプロピレングリコール−ｎ−ブチルエーテル等があげられる。前記浸透剤は、１種類を単独で用いてもよいし、２種類以上を併用してもよい。
【００４４】
前記水性インク全量に対する前記浸透剤の配合量（浸透剤割合）は、特に限定されず、例えば、０重量％〜２０重量％である。前記浸透剤割合を前記範囲とすることで、前記インクの記録用紙等の被記録媒体への浸透性を、より好適なものとできる。前記浸透剤割合は、好ましくは、０．１重量％〜１５重量％であり、より好ましくは、０．５重量％〜１０重量％である。
【００４５】
前記水性インクは、必要に応じて、さらに、従来公知の添加剤を含んでもよい。前記添加剤としては、例えば、界面活性剤、粘度調整剤、表面張力調整剤、防黴剤等があげられる。前記粘度調整剤は、例えば、ポリビニルアルコール、セルロース、水溶性樹脂等があげられる。
【００４６】
前記水性インクは、例えば、前記着色剤および水と、必要に応じて他の添加成分とを、従来公知の方法で均一に混合し、フィルタ等で不溶解物を除去することにより調製できる。
【００４７】
前記インクセットは、二種類以上のインクを含む。前記インクセットは、例えば、イエロー（Ｙ）、マゼンタ（Ｍ）、シアン（Ｃ）およびブラック（Ｂｋ）の４色の水性インクを含んでいてもよい。前記ブラック（Ｂｋ）としては、黒顔料を含む水性黒色インクが好ましい。また、前記インクセットは、前記４色のインクに加え、水性ライトインクを含んでいてもよい。前記水性ライトインクとは、例えば、前記インクセットに含まれる同一色の通常の水性インクより、前記着色剤の配合量が少ない（例えば、前記着色剤の配合量が、前記通常の水性インクの半分以下の）インクである。前記水性ライトインクとしては、例えば、水性ライトイエロー（ＬＹ）、水性ライトマゼンタ（ＬＭ）および水性ライトシアン（ＬＣ）があげられる。
【００４８】
つぎに、本発明のインクジェット記録装置は、インク収容部、インク吐出手段および前記インク吐出手段を制御する制御手段を有する。前記インク吐出手段は、前記記録部Ａ形成手段、前記記録部Ｂ形成手段および前記境界部Ｃ形成手段を含む。さらに、本発明のインクジェット記録装置は、前記データ記憶手段および前記記録関連情報取得手段を備えていてもよい。本発明のインクジェット記録装置において、前記制御手段、前記データ記憶手段および前記記録関連情報取得手段以外の構成は、従来のインクジェット装置と同様にすることができる。
【００４９】
図１０に、本発明のインクジェット記録装置の構成の一例（制御手段、データ記憶手段および記録関連情報取得手段を除く構成）を示す。図示のとおり、このインクジェット記録装置１は、４つのインクカートリッジ２と、インクジェットヘッド３と、ヘッドユニット４と、キャリッジ５と、駆動ユニット６と、プラテンローラ７と、パージ装置８とを主要な構成部材として含む。インクジェット記録装置１において、前記インクカートリッジ２が、前記インク収容部であり、前記インクジェットヘッド３が、前記インク吐出手段である。前記インクジェットヘッド３により、前記記録部Ａ、前記記録部Ｂおよび前記境界部Ｃを含む画像が記録可能である。
【００５０】
前記４つのインクカートリッジ２は、ブラック（Ｂｋ）、イエロー（Ｙ）、マゼンタ（Ｍ）、およびシアン（Ｃ）の４色のインクを、それぞれ１色ずつ含む。前記インクジェットヘッド３は、記録用紙等の被記録媒体Ｐに記録を行う。前記ヘッドユニット４は、前記インクジェットヘッド３を備えている。前記キャリッジ５には、前記４つのインクカートリッジ２および前記ヘッドユニット４が搭載される。前記駆動ユニット６は、前記キャリッジ５を直線方向に往復移動させる。前記プラテンローラ７は、前記キャリッジ５の往復方向に延び、前記インクジェットヘッド３と対向して配置されている。
【００５１】
前記駆動ユニット６は、キャリッジ軸９と、ガイド板１０と、２つのプーリ１１および１２と、エンドレスベルト１３とを含む。前記キャリッジ軸９は、前記キャリッジ５の下端部に配置され、前記プラテンローラ７と平行に延びている。前記ガイド板１０は、前記キャリッジ５の上端部に配置され、前記キャリッジ軸９と平行に延びている。前記２つのプーリ１１および１２は、前記キャリッジ軸９と前記ガイド板１０との間であって、前記キャリッジ軸９の両端部に配置されている。前記エンドレスベルト１３は、前記２つのプーリ１１および１２の間に掛け渡されている。
【００５２】
このインクジェット記録装置１において、前記プーリ１１がキャリッジモータ１０１の駆動により正逆回転されると、前記プーリ１１の正逆回転に伴って、前記エンドレスベルト１３に接合されている前記キャリッジ５が、前記キャリッジ軸９および前記ガイド板１０に沿って、直線方向に往復移動する。
【００５３】
前記被記録媒体Ｐは、このインクジェット記録装置１の側方又は下方に設けられた給紙カセット（図示せず）から給紙される。前記被記録媒体Ｐは、前記インクジェットヘッド３と、前記プラテンローラ７との間に導入される。すると、前記被記録媒体Ｐに、前記インクジェットヘッド３から吐出されるインクにより所定の記録がなされる。前記被記録媒体Ｐは、その後、前記インクジェット記録装置１から排紙される。なお、図１０において、前記被記録媒体Ｐの給紙機構及び排紙機構の図示を省略している。
【００５４】
前記パージ装置８は、前記プラテンローラ７の側方に設けられ、前記ヘッドユニット４がリセット位置（この例においては、前記パージ装置８の上部）にある時に、前記インクジェットヘッド３と対向するように配置されている。前記パージ装置８は、パージキャップ１４と、ポンプ１５およびカム１６と、インク貯留部１７とを含む。前記パージキャップ１４は、前記ヘッドユニット４が前記リセット位置にある時に、前記インクジェットヘッド３の複数のノズル（図示せず）を覆う。前記ポンプ１５は、前記カム１６の駆動により前記インクジェットヘッド３の内部に溜まる気泡等を含んだ不良インクを吸引する。これにより、前記インクジェットヘッド３が回復する。前記吸引された不良インクは、前記インク貯留部１７に貯蔵される。
【００５５】
前記パージ装置８の前記プラテンローラ７側の位置には、前記パージ装置８に隣接してワイパ部材２０が配設されている。前記ワイパ部材２０は、へら状に形成されており、前記キャリッジ５の移動に伴って、前記インクジェットヘッド３のノズル形成面を拭うものである。図１０において、キャップ１８は、インクの乾燥を防止するため、記録が終了すると前記リセット位置に戻される前記インクジェットヘッド３の複数のノズルを覆うものである。
【００５６】
この例のインクジェット記録装置１においては、前記４つのインクカートリッジ２は、１個のキャリッジ５に搭載されている。ただし、本発明は、これに限定されない。本発明のインクジェット記録装置において、前記４つのインクカートリッジは、複数のキャリッジに搭載されていてもよい。また、前記インクカートリッジは、前記キャリッジには搭載されず、インクジェット記録装置内に配置、固定されていてもよい。この態様においては、例えば、前記インクカートリッジと、前記キャリッジに搭載された前記ヘッドユニットとが、チューブ等により連結され、前記インクカートリッジから前記ヘッドユニットに前記インクが供給される。
【００５７】
本発明のインクジェット記録装置は、図１０に示したシリアル型インクジェット記録装置であってもよいし、ライン型インクジェット記録装置であってもよい。
【００５８】
つぎに、本発明のインクジェット記録方法およびインクジェット記録装置では、前記インクセットから適宜インクを選択して前記インクＡおよび前記インクＢを構成する。前記インクＡおよび前記インクＢの少なくとも一方のインクは、顔料を含む。そして、前記インクＡにより前記記録部Ａを形成し、前記インクＢにより前記記録部Ｂを形成する。具体的には、例えば、所定の画像情報に基づき、前記記録部Ａおよび前記記録部Ｂの配色が決定され、前記配色に応じて、前記インクセットから選択されたインクを、所定の割合で被記録媒体に吐出し前記記録部Ａおよび前記記録部Ｂが形成される。例えば、前記記録部Ａが黒色の場合、前記インクセットから黒色インクが選択されて被記録媒体に吐出され、被記録媒体上に黒色の記録部Ａが形成される。また、例えば、前記記録部Ｂが、複数色が混合したカラー色の場合（例えば、レッド）、所定の画像情報に基づき、前記インクＢを構成するために、前記インクセットから複数色のカラーインクと吐出割合が決定されて被記録媒体上に吐出され、前記記録部Ｂを形成するための前記インクＢが被記録媒体上で調製されることになる。したがって、本発明において、前記記録部Ａおよび前記記録部Ｂの配色に対応したインクが、インクセットに存在する場合は、前記インクセットから選択されたインクが、前記インクＡおよび前記インクＢとなる。一方、本発明において、前記記録部Ａおよび前記記録部Ｂの配色に対応したインクが、前記インクセットに存在しない場合は、前記配色に応じて前記インクセットからインクを選択して被記録媒体に吐出することになるため、この場合は、前記インクＡおよび前記インクＢは、被記録媒体上で調製されることになる。これらのことは、前記境界部Ｃを形成する前記インクＣについても同じである。本発明において、前記記録部Ａ、前記記録部Ｂ、前記境界部Ｃの形成の順序は、特に制限されないが、前記境界部Ｃを、前記記録部Ａおよび前記記録部Ｂの少なくとも一方より先に形成することが好ましく、前記記録部Ａ、前記記録部Ｂおよび前記境界部Ｃを限りなく同時に形成することが特に好ましい。
【００５９】
つぎに、本発明のインクジェット記録方法およびインクジェット記録装置では、前記記録部Ａおよび前記記録部Ｂの境界に、前記インクＣを用いて境界部Ｃを形成する。前述のように、本発明のインクジェット記録方法およびインクジェット記録装置では、凝集度を指標とした前記条件（Ｉ）を満足するように、前記インクセットからインクを選択して前記インクＣを構成する。
【００６０】
図７に、前記記録部Ａ（２１）、前記記録部Ｂ（２２）および前記境界部Ｃ（２３）の構成例を示す。例えば、図７（Ａ）に示すように、前記記録部Ａ（２１）と前記記録部Ｂ（２２）を隣接するように記録する場合、前記記録部Ａ（２１）を記録した後、前記記録部Ａ（２１）と前記記録部Ｂ（２２）の境界となる部分に前記境界部Ｃ（２３）を記録し、ついで、前記境界部Ｃ（２３）の前記記録部Ａ（２１）とは反対側に前記記録部Ｂ（２２）を記録してもよい。これとは別に、例えば、図７（Ｂ）に示すように、文字や図形として記録部Ａ（２１）を記録した後、前記記録部Ａ（２１）の周囲に境界部Ｃ（２３）を記録し、ついで、背景として記録部Ｂ（２２）を記録してもよい。
【００６１】
前記境界部Ｃは、記録品質の向上のために、目立たないようにすることが好ましい。前記境界部Ｃを目立たないようにするためには、例えば、下記の（ａ）〜（ｃ）の方法がある。なお、下記（ａ）の方法は、前記条件（ＩＩ）に該当し、下記（ｂ）の方法は、前記条件（ＩＩＩ）に該当する。
（ａ）  前記境界部Ｃの凝集が生じる位置を選択する。
（ｂ）  前記境界部Ｃとの色差を調整する。
（ｃ）  前記境界部Ｃの幅を狭くする。
【００６２】
前記（ａ）の前記境界部Ｃの凝集が生じる位置を選択する方法とは、前記記録部Ａと前記記録部Ｂとの間で、明度が異なる場合、前記境界部Ｃの凝集が生じる位置を、明度が低い記録部側に位置するように前記境界部Ｃを形成する方法である。例えば、前記記録部Ａの明度Ｌ＊（Ａ）が、前記記録部Ｂの明度Ｌ＊（Ｂ）よりも低い場合（明度Ｌ＊（Ａ）＜明度Ｌ＊（Ｂ））、前記境界部Ｃの前記記録部Ａ側に凝集するようにする（前記式（１）：前記凝集度Ｇ（ＡＣ）＞前記凝集度Ｇ（ＡＢ））。これとは逆に、例えば、前記記録部Ｂの明度Ｌ＊（Ｂ）が、前記記録部Ａの明度Ｌ＊（Ａ）よりも低い場合（明度Ｌ＊（Ｂ）＜明度Ｌ＊（Ａ））、前記境界部Ｃの前記記録部Ｂ側に凝集するようにする（前記式（２）：前記凝集度Ｇ（ＢＣ）＞前記凝集度Ｇ（ＡＢ））。
【００６３】
前記（ｂ）の前記境界部Ｃとの色差を調整する方法とは、前記記録部Ａおよび前記記録部Ｂの少なくとも一方と、前記境界部Ｃとの色差ΔＥを最小にする方法である。前記色差ΔＥが小さいほど、前記記録部Ａおよび前記記録部Ｂの少なくとも一方と、前記境界部Ｃとの色相が類似していることになる。
【００６４】
前記（ｃ）の前記境界部Ｃの幅を狭くする方法において、前記幅は、細いほど好ましく、例えば、１０μｍ〜１００μｍであり、好ましくは、１０μｍ〜６０μｍであり、より好ましくは、１０μｍ〜３０μｍである。
【００６５】
前記境界部Ｃは、連続した領域として形成されていてもよいし、不連続の領域として形成されてもよい。図８（Ａ）に示すように、例えば、前記記録部Ａ（２１）と前記記録部Ｂ（２２）の間において、連続したドットとして前記境界部Ｃ（２３）を形成してもよい。また、図８（Ｂ）に示すように、例えば、前記記録部Ａ（２１）と前記記録部Ｂ（２２）の間において、不連続のドットとして前記境界部Ｃ（２３）を形成してもよい。
【００６６】
本発明において、「凝集度」とは、二種類のインクが、接触した場合、前記両インク中の成分が凝集物としてインク中に生じる程度をいう。例えば、顔料水性インクと染料水性インクが接触した場合、染料水性インク中の成分の作用によって、インク中に分散していた顔料が凝集することがある。本発明において、「凝集度」は、例えば、凝集物の大きさ、凝集物の量、凝集の速さ等を指標として、適宜決定することができる。本発明において、「凝集度」は、例えば、図９に示すような手法で評価することができる。図９（Ａ）に示すように、スライドグラス３１上に、二種類のインク３２、３３を滴下する。つぎに、図９（Ｂ）に示すように、前記二種類のインク３２、３３の上にカバーグラス３４を被せる。すると、図９（Ｂ）に示すように、前記二種類のインク３２、３３は、界面３５で接する。そして、界面３５付近での凝集物の発生を、光学顕微鏡等を用いて観察し、凝集度を決定する。本発明において、「凝集度」は、例えば、「凝集有り」および「凝集無し」の二段階に設定してもよいが、凝集の程度に応じて、三段階以上に設定することが好ましい。
【００６７】
つぎに、本発明のインクジェット記録方法およびインクジェット記録装置における前記境界部Ｃの形成方法について、例を示して説明する。
【００６８】
［実施形態１］
図１に、前記条件（Ｉ）のみを用いて、前記インクＣを構成するインクを選択する例のフローチャート（図１（Ａ））およびブロック図（図１（Ｂ））を示す。図１（Ｂ）のブロック図は、本実施形態のインクジェット記録装置における前記制御手段、前記データ記憶手段および前記インク吐出手段の関係を示す。図１（Ｂ）に示すように、前記データ記憶手段１２０は、凝集度データ１２１が格納されており、前記制御手段１１０は、凝集度導出手段１１１およびインク選択手段１１２を含む。凝集度導出手段１１１およびインク選択手段１１２は、凝集度データ１２１と接続している。本実施形態のインクジェット記録装置は、さらに、前記記録関連情報取得手段を含んでもよい（図示せず）。前記制御手段１１０としては、例えば、中央処理装置（ＣＰＵ）があげられる。前記データ記憶手段１２０としては、例えば、ランダムアクセスメモリ（ＲＡＭ）、読み出し専用メモリ（ＲＯＭ）、ハードディスク（ＨＤ）、光ディスク、フロッピー（登録商標）ディスク（ＦＤ）があげられる。前記データ記憶手段１２０は、装置内蔵型であってもよいし、外部記憶装置のような外付け型であってもよい。前記記録関連情報取得手段としては、例えば、被記録媒体や記録に用いるインクの種類の選択に用いるメニュー選択ボタンや、ドライバソフトウェア等があげられる。前記制御手段、前記データ記憶手段および前記記録関連情報取得手段については、以下の実施形態においても同様である。
【００６９】
本発明において、前記凝集度データは、例えば、二つのインク間の凝集度を示した凝集度テーブルがあげられる。
【００７０】
表１に、前記凝集度テーブルの一例を示す。表１に示す凝集度テーブルは、ブラック（Ｂｋ）、イエロー（Ｙ）、マゼンタ（Ｍ）およびシアン（Ｃ）の４種類の各単色インクと、３種類の混合インクの合計７種類のインク間の凝集度を示す。前記３種類の混合インクは、前記イエロー（Ｙ）、マゼンタ（Ｍ）およびシアン（Ｃ）の各単色インクから選んだ２色のインクを５：５の割合で混合して調製したもの（Ｙ：Ｍ＝５：５、Ｙ：Ｃ＝５：５、Ｍ：Ｃ＝５：５）である。表１の凝集度テーブルでは、凝集度を、凝集が無い０から最大値１０まで段階的に分類している。数値が大きいほど凝集度が高くなる。
【００７１】
【表１】
2010149344.tif 000003
【００７２】
凝集度を評価したい二つのインクのうちの一方のインクを第１のインク（または第２のインク）とし、他方のインクを第２のインク（または第１のインク）として、表１の凝集度テーブルから凝集度を求める。例えば、前記インクＡがブラック（Ｂｋ）であり、前記インクＢがマゼンタ（Ｍ）の場合の凝集度は、前記凝集度テーブルから、「８」となる。そして、「８」を超える凝集度のインクの組み合わせは、ブラック（Ｂｋ）およびイエロー（Ｙ）の「１０」と、ブラック（Ｂｋ）および混合インク（Ｙ：Ｍ＝５：５）の「９」である。したがって、前記条件（Ｉ）を満たすインクＣは、前記凝集度テーブルから、イエロー（Ｙ）または混合インク（Ｙ：Ｍ＝５：５）を選択することができる。
【００７３】
表１の凝集度テーブルに表記した凝集度から、表記していない凝集度を算出することも可能である。例えば、前記インクＡ、前記インクＢおよび前記インクＣが、二次色で構成されている場合、前記二次色を構成する各一次色の凝集度および割合から、二次色の凝集度を求めることができる。例えば、ブラック（Ｂｋ）と混合インク（Ｙ：Ｍ＝７：３）の間の凝集度Ｇ（Ｂｋ（Ｙ：Ｍ＝７：３））は、ブラック（Ｂｋ）とイエロー（Ｙ）の凝集度Ｇ（ＢｋＹ）「１０」と、ブラック（Ｂｋ）とマゼンタ（Ｍ）の凝集度Ｇ（ＢｋＭ）「８」と、イエロー（Ｙ）とマゼンタ（Ｍ）との混合比率７：３とから、下記の式で求めることができる。
凝集度Ｇ（Ｂｋ（Ｙ：Ｍ＝７：３））＝１０×０．７＋８×０．３＝９．４
【００７４】
表１の凝集度テーブルでは、前記混合インクの凝集度については、一次色の構成割合が５：５の場合のみ記載されているが、本発明は、これに限定されず、前記混合インクの一次色の構成割合が、例えば、９：１や７：３等のように多段階の場合について凝集度を記載したものを使用してもよい。
【００７５】
本実施形態のインクジェット記録方法およびインクジェット記録装置における前記境界部Ｃの形成は、表１の凝集度データを用い、例えば、つぎのようにして実施される。
【００７６】
まず、図１（Ａ）および（Ｂ）に示すように、凝集度導出手段１１１により、前記凝集度データ１２１を参照して、前記インクＡおよび前記インクＢとの間の凝集度Ｇ（ＡＢ）を導出する（ステップＳ１）。例えば、前記インクＡがブラック（Ｂｋ）であり、前記インクＢがマゼンタ（Ｍ）の場合の凝集度Ｇ（ＡＢ）は、前記凝集度データ１２１から、「８」となる。
【００７７】
つぎに、図１（Ａ）および（Ｂ）に示すように、インク選択手段１１２により、導出された前記凝集度Ｇ（ＡＢ）に基づき、前記凝集度データ１２１から、前記条件（Ｉ）を満たすように、前記インクＣを構成するインクを選択する（ステップＳ２）。例えば、前記凝集度Ｇ（ＡＢ）が「８」の場合、「８」を超える凝集度のインクの組み合わせは、ブラック（Ｂｋ）およびイエロー（Ｙ）の「１０」と、ブラック（Ｂｋ）および混合インク（Ｙ：Ｍ＝５：５）の「９」である。したがって、前記条件（Ｉ）を満たすインクＣは、前記凝集度データ１２１から、イエロー（Ｙ）または混合インク（Ｙ：Ｍ＝５：５）を選択することができる。なお、インクＣが複数選択された場合は、後述のように、条件（ＩＩ）または条件（ＩＩＩ）を用いることで一つのインクにしぼることもできるし、その他の条件で一つのインクにしぼってもよい。
【００７８】
つぎに、図１（Ａ）および（Ｂ）に示すように、インク選択手段１１２からの指示に基づき、インク吐出手段１３０により、選択されたインクを吐出して前記境界部Ｃの記録を実施する（ステップＳ３）。インクジェット記録装置のインク収容部に、イエロー（Ｙ）、マゼンタ（Ｍ）、シアン（Ｃ）およびブラック（Ｂｋ）の四種類の単色インクが収容されている場合、例えば、イエロー（Ｙ）が選択された場合は、イエロー（Ｙ）を前記境界部Ｃ形成部分に吐出すればよい。また、前記インクジェット記録装置において、混合インク（Ｙ：Ｍ＝５：５）が選択された場合は、５：５の割合で、イエロー（Ｙ）とマゼンタ（Ｍ）をそれぞれ吐出し、前記境界部Ｃ形成部分で、混合インク（Ｙ：Ｍ＝５：５）を調製すればよい。
【００７９】
本実施形態では、前記凝集度Ｇ（ＡＢ）と、前記凝集度Ｇ（ＡＣ）および前記凝集度Ｇ（ＢＣ）の大小の判断において、差の大きさを規定していないが、本発明はこれに限定されず、下記式（１´）および下記式（２´）のように差の大きさを規定してもよい。下記式（１´）および下記式（２´）において、ｋが差の大きさの規定になる。
Ｇ（ＡＣ）＞Ｇ（ＡＢ）＋ｋ      （１´）
Ｇ（ＢＣ）＞Ｇ（ＡＢ）＋ｋ      （２´）
【００８０】
前述の例では、イエロー（Ｙ）および混合インク（Ｙ：Ｍ＝５：５）の二種類が選択されたが、差の大きさｋを「１」とすると、前記二種類のインクから、前記式（１´）を満たすイエロー（Ｙ）がインクＣとして選択されることになる。
【００８１】
本実施形態では、前記凝集度Ｇ（ＡＢ）の導出および前記インクＣを構成するインクの選択に前記凝集度データを用いたが、本発明はこれに限定されず、前記凝集度データの有無は問わず、前記凝集度データを用いることなく、前記凝集度Ｇ（ＡＢ）を導出し、かつ、前記インクＣを構成するインクを選択してもよい。
【００８２】
本実施形態のインクジェット記録方法およびインクジェット記録装置において、例えば、前記記録部Ａ、前記記録部Ｂおよび前記境界部Ｃを形成する被記録媒体の材質（例えば、普通紙であるか、光沢紙であるか等）、記録に用いるインクの種類（例えば、顔料水性インクであるか、染料水性インクであるか等）の前記記録関連情報を参照して、前記条件（Ｉ）を満たすように、前記インクＣを構成するインクを選択してもよい。この場合において、異なる前記記録関連情報毎に前記凝集度データを複数種類準備しておき、前記記録関連情報に応じて適切な凝集度データを選択して用いてもよい。前記凝集度データについては、以下の実施形態においても同様である。
【００８３】
［実施形態２］
つぎに、図２に、前記条件（Ｉ）および前記条件（ＩＩ）を用いて、前記インクＣを構成するインクを選択する例のフローチャート（図２（Ａ））およびブロック図（図２（Ｂ））を示す。図２（Ｂ）のブロック図は、本実施形態のインクジェット記録装置における前記制御手段、前記データ記憶手段および前記インク吐出手段の関係を示す。図２（Ｂ）に示すように、前記データ記憶手段１２０は、凝集度データ１２１および明度データ１２２が格納されており、前記制御手段１１０は、凝集度導出手段１１１、インク選択手段１１２、明度導出手段１１３および明度選択手段１１４を含む。凝集度導出手段１１１、インク選択手段１１２および明度選択手段１１４は、凝集度データ１２１と接続している。明度導出手段１１３は、明度データ１２２と接続している。
【００８４】
本発明において、前記明度データは、例えば、色相テーブルがあげられる。また、前述のように、本発明において、前記条件（ＩＩ）の「明度Ｌ＊」は、例えば、１９７６年に国際照明委員会（ＣＩＥ）で規格化されたＬ＊ａ＊ｂ＊表色系（ＣＩＥ１９７６（Ｌ＊ａ＊ｂ＊）表色系）に基づくＬ＊値（ＪＩＳ  Ｚ  ８７２９参照）を採用してもよい。前記色相テーブルの例を、表２に示す。表２の色相テーブルは、表１の凝集度テーブルに示す７種類のインクにより白色（Ｌ＊＝９３．６、ａ＊＝２．８、ｂ＊＝−８．８）の記録用紙に形成した記録部のＬ＊値、ａ＊値およびｂ＊値を示すものである。表２の色相テーブルにおける各Ｌ＊値が、前記各インクにより形成した前記記録部の明度である。ただし、表２の色相テーブルは例示に過ぎず、本実施形態のインクジェット記録方法およびインクジェット記録装置において、前記記録部Ａ、前記記録部Ｂおよび前記境界部Ｃを形成する被記録媒体は、前記白色の記録用紙に限定されない。
【００８５】
【表２】
2010149344.tif 000004
【００８６】
表２の色相テーブルでは、前記混合インクの一次色の構成割合が５：５の場合のみ記載されているが、本発明は、これに限定されず、前記混合インクの一次色の構成割合が、例えば、９：１や７：３等のように多段階の場合について、Ｌ＊値、ａ＊値およびｂ＊値を記載したものを使用してもよい。
【００８７】
本実施形態のインクジェット記録方法およびインクジェット記録装置における前記境界部Ｃの形成は、表１の凝集度データおよび表２の明度データを用い、例えば、つぎのようにして実施される。
【００８８】
まず、図２（Ａ）および（Ｂ）に示すように、凝集度導出手段１１１により、前記凝集度データ１２１を参照して、前記インクＡおよび前記インクＢとの間の凝集度Ｇ（ＡＢ）を導出する（ステップＳ１）。例えば、前記実施形態１と同様に、前記インクＡがブラック（Ｂｋ）であり、前記インクＢがマゼンタ（Ｍ）の場合、前記凝集度Ｇ（ＡＢ）は「８」となる。
【００８９】
つぎに、図２（Ａ）および（Ｂ）に示すように、インク選択手段１１２により、導出された前記凝集度Ｇ（ＡＢ）に基づき、前記凝集度データ１２１から、前記条件（Ｉ）を満たすように、前記インクＣを構成するインクを選択する（ステップＳ２）。例えば、前記凝集度Ｇ（ＡＢ）が「８」の場合、「８」を超える凝集度のインクの組み合わせは、ブラック（Ｂｋ）およびイエロー（Ｙ）の「１０」と、ブラック（Ｂｋ）および混合インク（Ｙ：Ｍ＝５：５）の「９」である。したがって、前記条件（Ｉ）を満たすインクＣは、前記凝集度データ１２１から、イエロー（Ｙ）または混合インク（Ｙ：Ｍ＝５：５）を選択することができる。
【００９０】
つぎに、図２（Ａ）および（Ｂ）に示すように、インクＣが複数存在するか否かを判断する（ステップＳ３）。複数存在しない場合（Ｎｏ）は、後述のようにして、前記境界部Ｃの記録を実施する。複数存在する場合（Ｙｅｓ）は、明度導出手段１１３により、前記明度データ１２２を参照して、前記インクＡの明度Ｌ＊（Ａ）および前記インクＢの明度Ｌ＊（Ｂ）を導出する（ステップＳ３−１）。ついで、明度選択手段１１４により、導出された前記凝集度Ｇ（ＡＢ）、前記明度Ｌ＊（Ａ）および前記明度Ｌ＊（Ｂ）に基づき、前記凝集度データ１２１から、前記条件（ＩＩ）を満たすように、前記インクＣを構成するインクを選択する（ステップＳ３−２）。例えば、前記インクＡがブラック（Ｂｋ）であり、前記インクＢがマゼンタ（Ｍ）の場合、イエロー（Ｙ）および混合インク（Ｙ：Ｍ＝５：５）の二つが選択されたので、インクＣが複数存在することになる。したがって、明度データ１２２から、ブラック（Ｂｋ）およびマゼンタ（Ｍ）のそれぞれの前記明度Ｌ＊（Ａ）および前記明度Ｌ＊（Ｂ）を導出すると、前記明度Ｌ＊（Ａ）は「１０」であり、前記明度Ｌ＊（Ｂ）は「５２」となり、前記条件（ＩＩ）では、前記式（３）の「明度Ｌ＊（Ａ）＜明度Ｌ＊（Ｂ）」の場合に該当する。この場合、前記式（１）「凝集度Ｇ（ＡＣ）＞凝集度Ｇ（ＡＢ）」を満たすようにする必要がある。前記の場合、前記凝集度Ｇ（ＡＢ）は「８」であるから、「８」を超える凝集度のインクの組み合わせは、ブラック（Ｂｋ）およびイエロー（Ｙ）の「１０」と、ブラック（Ｂｋ）および混合インク（Ｙ：Ｍ＝５：５）の「９」であり、両者とも前記式（１）を満たす。したがって、前記条件（ＩＩ）を満たすインクＣは、前記凝集度データ１２１から、イエロー（Ｙ）または混合インク（Ｙ：Ｍ＝５：５）を選択することができる。なお、インクＣが複数選択された場合は、後述のように、条件（ＩＩＩ）を用いることで一つのインクにしぼることもできるし、その他の条件で一つのインクにしぼってもよい。
【００９１】
つぎに、図２（Ａ）および（Ｂ）に示すように、インク選択手段１１２または明度選択手段１１４からの指示に基づき、インク吐出手段１３０により、選択されたインクを吐出して前記境界部Ｃの記録を実施する（ステップＳ４）。前記実施形態１と同様に、インクジェット記録装置のインク収容部に、イエロー（Ｙ）、マゼンタ（Ｍ）、シアン（Ｃ）およびブラック（Ｂｋ）の四種類の単色インクが収容されている場合、例えば、イエロー（Ｙ）が選択された場合は、イエロー（Ｙ）を前記境界部Ｃ形成部分に吐出すればよい。また、前記インクジェット記録装置において、混合インク（Ｙ：Ｍ＝５：５）が選択された場合は、５：５の割合で、イエロー（Ｙ）とマゼンタ（Ｍ）をそれぞれ吐出し、前記境界部Ｃ形成部分で、混合インク（Ｙ：Ｍ＝５：５）を調製すればよい。
【００９２】
本実施形態では、前記凝集度Ｇ（ＡＢ）の導出および前記インクＣを構成するインクの選択に前記凝集度データを用い、かつ、前記明度の導出に前記明度データを用いたが、本発明はこれに限定されず、前記凝集度データおよび前記明度データの有無は問わず、前記凝集度データおよび前記明度データの一方のみを用いてもよいし、双方を用いなくてもよい。
【００９３】
本実施形態では、前記凝集度の導出の後に、前記明度を導出したが、本発明はこれに限定されず、前記凝集度の導出および前記明度の導出の前後は問わず、いずれかを先に実施してもよいし、後述の実施形態６のように双方を同時に実施してもよい。
【００９４】
本実施形態では、前記明度Ｌ＊（Ａ）および明度Ｌ＊（Ｂ）が異なっている場合を例示したが、前記明度Ｌ＊（Ａ）および前記明度Ｌ＊（Ｂ）が同じ場合もある。インクＣが複数存在し、かつ前記明度Ｌ＊（Ａ）および前記明度Ｌ＊（Ｂ）が同じ場合、下記（条件ＩＩ´）または下記条件（ＩＩ´´）のようにすれば、さらに、インクＣの選択幅を狭めることが可能である。
（条件ＩＩ´）：下記式（３´）を満たす場合は、前記式（１）を満たし、または、下記式（４）を満たす場合は、前記式（２）を満たす。
Ｌ＊（Ａ）≦Ｌ＊（Ｂ）      （３´）
Ｌ＊（Ａ）＞Ｌ＊（Ｂ）      （４）
（条件ＩＩ´´）：下記式（３）を満たす場合は、前記式（１）を満たし、または、下記式（４´）を満たす場合は、前記式（２）を満たす。
Ｌ＊（Ａ）＜Ｌ＊（Ｂ）      （３）
Ｌ＊（Ａ）≧Ｌ＊（Ｂ）      （４´）
【００９５】
本実施形態のインクジェット記録方法およびインクジェット記録装置において、例えば、前記記録部Ａ、前記記録部Ｂおよび前記境界部Ｃを形成する被記録媒体の色（例えば、白色であるか、有色（例えば、青、黄、緑等）であるか等）、前記被記録媒体の材質（例えば、普通紙であるか、光沢紙であるか等）、記録に用いるインクの種類（例えば、顔料水性インクであるか、染料水性インクであるか等）の前記記録関連情報を参照して、前記条件（Ｉ）および前記条件（ＩＩ）の少なくとも前記条件（Ｉ）を満たすように、前記インクＣを構成するインクを選択してもよい。この場合において、異なる前記記録関連情報毎に前記明度データを複数種類準備しておき、前記記録関連情報に応じて適切な明度データを選択して用いてもよい。前記明度データについては、以下の実施形態においても同様である。
【００９６】
［実施形態３］
つぎに、図３に、前記条件（Ｉ）、前記条件（ＩＩ）および前記条件（ＩＩＩ）を用いて、前記インクＣを構成するインクを選択する例のフローチャート（図３（Ａ））およびブロック図（図３（Ｂ））を示す。図３（Ｂ）のブロック図は、本実施形態のインクジェット記録装置における前記制御手段、前記データ記憶手段および前記インク吐出手段の関係を示す。図３（Ｂ）に示すように、前記データ記憶手段１２０は、凝集度データ１２１および色相データ１２３が格納されており、前記制御手段１１０は、凝集度導出手段１１１、インク選択手段１１２、明度導出手段１１３、明度選択手段１１４、色差導出手段１１５および色差選択手段１１６を含む。前記色相データ１２３には、明度データ１２２が含まれる。凝集度導出手段１１１、インク選択手段１１２および明度選択手段１１４は、凝集度データ１２１と接続している。明度導出手段１１３は、明度データ１２２と接続している。色差導出手段１１５および色差選択手段１１６は、色相データ１２３と接続している。
【００９７】
本発明において、前記色相データは、例えば、色相テーブルがあげられる。前述のように、本発明において、前記条件（ＩＩＩ）の「色差ΔＥ」は、例えば、１９７６年に国際照明委員会（ＣＩＥ）で規格化されたＬ＊ａ＊ｂ＊表色系（ＣＩＥ１９７６（Ｌ＊ａ＊ｂ＊）表色系）に基づき、下記式で算出されるもの（ＪＩＳ  Ｚ  ８７２９参照）を採用してもよい。
ΔＥ＝｛（ΔＬ＊）２＋（Δａ＊）２＋（Δｂ＊）２｝１／２
ΔＬ＊：２種類のインク間のＬ＊値の差
Δａ＊：２種類のインク間のａ＊値の差
Δｂ＊：２種類のインク間のｂ＊値の差
【００９８】
本実施形態のインクジェット記録方法およびインクジェット記録装置における前記境界部Ｃの形成は、表１の凝集度データおよび表２の色相データを用い、例えば、つぎのようにして実施される。
【００９９】
まず、図３（Ａ）および（Ｂ）に示すように、凝集度導出手段１１１により、前記凝集度データ１２１を参照して、前記インクＡおよび前記インクＢとの間の凝集度Ｇ（ＡＢ）を導出する（ステップＳ１）。例えば、前記実施形態１と同様に、前記インクＡがブラック（Ｂｋ）であり、前記インクＢがマゼンタ（Ｍ）の場合、前記凝集度Ｇ（ＡＢ）は「８」となる。
【０１００】
つぎに、図３（Ａ）および（Ｂ）に示すように、インク選択手段１１２により、導出された前記凝集度Ｇ（ＡＢ）に基づき、前記凝集度データ１２１から、前記条件（Ｉ）を満たすように、前記インクＣを構成するインクを選択する（ステップＳ２）。例えば、前記凝集度Ｇ（ＡＢ）が「８」の場合、「８」を超える凝集度のインクの組み合わせは、ブラック（Ｂｋ）およびイエロー（Ｙ）の「１０」と、ブラック（Ｂｋ）および混合インク（Ｙ：Ｍ＝５：５）の「９」である。したがって、前記条件（Ｉ）を満たすインクＣは、前記凝集度データ１２１から、イエロー（Ｙ）または混合インク（Ｙ：Ｍ＝５：５）を選択することができる。
【０１０１】
つぎに、図３（Ａ）および（Ｂ）に示すように、インクＣが複数存在するか否かを判断する（ステップＳ３）。複数存在しない場合（Ｎｏ）は、後述のようにして、前記境界部Ｃの記録を実施する。複数存在する場合（Ｙｅｓ）は、明度導出手段１１３により、前記明度データ１２２を参照して、前記インクＡの明度Ｌ＊（Ａ）および前記インクＢの明度Ｌ＊（Ｂ）を導出する（ステップＳ３−１）。ついで、明度選択手段１１４により、導出された前記凝集度Ｇ（ＡＢ）、前記明度Ｌ＊（Ａ）および前記明度Ｌ＊（Ｂ）に基づき、前記凝集度データ１２１から、前記条件（ＩＩ）を満たすように、前記インクＣを構成するインクを選択する（ステップＳ３−２）。例えば、前記インクＡがブラック（Ｂｋ）であり、前記インクＢがマゼンタ（Ｍ）の場合、イエロー（Ｙ）および混合インク（Ｙ：Ｍ＝５：５）の二つが選択されたので、インクＣが複数存在することになる。したがって、明度データ１２２から、ブラック（Ｂｋ）およびマゼンタ（Ｍ）のそれぞれの前記明度Ｌ＊（Ａ）および前記明度Ｌ＊（Ｂ）を導出すると、前記明度Ｌ＊（Ａ）は「１０」であり、前記明度Ｌ＊（Ｂ）は「５２」となり、前記条件（ＩＩ）では、前記式（３）の「明度Ｌ＊（Ａ）＜明度Ｌ＊（Ｂ）」の場合に該当する。この場合、前記式（１）「凝集度Ｇ（ＡＣ）＞凝集度Ｇ（ＡＢ）」を満たすようにする必要がある。前記の場合、前記凝集度Ｇ（ＡＢ）は「８」であるから、「８」を超える凝集度のインクの組み合わせは、ブラック（Ｂｋ）およびイエロー（Ｙ）の「１０」と、ブラック（Ｂｋ）および混合インク（Ｙ：Ｍ＝５：５）の「９」であり、両者とも前記式（１）を満たす。したがって、前記条件（ＩＩ）を満たすインクＣは、前記凝集度データ１２１から、イエロー（Ｙ）または混合インク（Ｙ：Ｍ＝５：５）を選択することができる。
【０１０２】
つぎに、図３（Ａ）および（Ｂ）に示すように、インクＣが複数存在するか否かを判断する（ステップＳ４）。複数存在しない場合（Ｎｏ）は、後述のようにして、前記境界部Ｃの記録を実施する。複数存在する場合（Ｙｅｓ）は、色差導出手段１１５において、前記インクＡと前記インクＣの色差ΔＥ（ＡＣ）および前記インクＢと前記インクＣの色差ΔＥ（ＢＣ）を、色相データ１２３から導出する（ステップＳ４−１）。ついで、色差選択手段１１６において、色相データ１２３を参照し、導出された色差ΔＥ（ＡＣ）および色差ΔＥ（ＢＣ）から、前記条件（ＩＩＩ）を満たすインクＣを一つ選択する（ステップＳ４−２）。例えば、前記インクＡがブラック（Ｂｋ）であり、前記インクＢがマゼンタ（Ｍ）の場合、イエロー（Ｙ）および混合インク（Ｙ：Ｍ＝５：５）の二つが選択されたので、インクＣが複数存在することになる。したがって、色相データ１２３から、イエロー（Ｙ）および混合インク（Ｙ：Ｍ＝５：５）のそれぞれの前記色差ΔＥ（ＡＣ）および前記色差ΔＥ（ＢＣ）を導出すると下記のようになる。したがって最小の色差は、混合インク（Ｙ：Ｍ＝５：５）の場合の前記色差ΔＥ（ＢＣ）＝４７．１７であるから、混合インク（Ｙ：Ｍ＝５：５）を選択する。
イエロー（Ｙ）の場合
色差ΔＥ（ＡＣ）＝１１７．０４
色差ΔＥ（ＢＣ）＝１３１．３８
混合インク（Ｙ：Ｍ＝５：５）の場合
色差ΔＥ（ＡＣ）＝８４．２０
色差ΔＥ（ＢＣ）＝４７．１７
【０１０３】
つぎに、図３（Ａ）および（Ｂ）に示すように、インク選択手段１１２、明度選択手段１１４または色差選択手段１１６からの指示に基づき、インク吐出手段１３０により、選択されたインクを吐出して前記境界部Ｃの記録を実施する（ステップＳ５）。前記実施形態１と同様に、インクジェット記録装置のインク収容部に、イエロー（Ｙ）、マゼンタ（Ｍ）、シアン（Ｃ）およびブラック（Ｂｋ）の四種類の単色インクが収容され、かつ混合インク（Ｙ：Ｍ＝５：５）が選択された場合は、５：５の割合で、イエロー（Ｙ）とマゼンタ（Ｍ）をそれぞれ吐出し、前記境界部Ｃ形成部分で、混合インク（Ｙ：Ｍ＝５：５）を調製すればよい。
【０１０４】
本実施形態では、前記凝集度Ｇ（ＡＢ）の導出に前記凝集度データを用い、かつ、前記明度の導出に前記明度データを用いたが、本発明はこれに限定されず、前記凝集度データおよび前記明度データの有無は問わず、前記凝集度データおよび前記明度データの一方のみを用いてもよいし、双方を用いなくてもよい。
【０１０５】
本実施形態では、前記色差の導出および前記条件（ＩＩＩ）を満たすインクＣの選択に前記色相データを用いたが、本発明はこれに限定されず、前記色相データの有無は問わず、前記色相データを用いることなく、前記色差を導出し、かつ、前記条件（ＩＩＩ）を満たすインクＣを選択してもよい。
【０１０６】
本実施形態では、前記凝集度の導出の後に、前記明度を導出したが、本発明はこれに限定されず、前記凝集度の導出および前記明度の導出の前後は問わず、いずれかを先に実施してもよいし、双方を同時に実施してもよい。
【０１０７】
本実施形態では、前記明度の導出の後に、前記色差を導出したが、本発明はこれに限定されず、前記明度の導出および前記色差の導出の前後は問わず、いずれかを先に実施してもよいし、双方を同時に実施してもよい。
【０１０８】
本実施形態のインクジェット記録方法およびインクジェット記録装置において、例えば、前記記録部Ａ、前記記録部Ｂおよび前記境界部Ｃを形成する被記録媒体の色（例えば、白色であるか、有色（例えば、青、黄、緑等）であるか等）、前記被記録媒体の材質（例えば、普通紙であるか、光沢紙であるか等）、記録に用いるインクの種類（例えば、顔料水性インクであるか、染料水性インクであるか等）の前記記録関連情報を参照して、前記条件（Ｉ）、前記条件（ＩＩ）および前記条件（ＩＩＩ）の少なくとも前記条件（Ｉ）を満たすように、前記インクＣを構成するインクを選択してもよい。この場合において、異なる前記記録関連情報毎に前記色相データを複数種類準備しておき、前記記録関連情報に応じて適切な色相データを選択して用いてもよい。前記色相データについては、以下の実施形態においても同様である。
【０１０９】
［実施形態４］
つぎに、図４に、前記条件（Ｉ）および前記条件（ＩＩＩ）を用いて、前記インクＣを構成するインクを選択する例のフローチャート（図４（Ａ））およびブロック図（図４（Ｂ））を示す。図４（Ｂ）のブロック図は、本実施形態のインクジェット記録装置における前記制御手段、前記データ記憶手段および前記インク吐出手段の関係を示す。図４（Ｂ）に示すように、前記データ記憶手段１２０は、凝集度データ１２１および色相データ１２３が格納されており、前記制御手段１１０は、凝集度導出手段１１１、インク選択手段１１２、色差導出手段１１５および色差選択手段１１６を含む。凝集度導出手段１１１およびインク選択手段１１２は、凝集度データ１２１と接続している。色差導出手段１１５および色差選択手段１１６は、色相データ１２３と接続している。
【０１１０】
本実施形態のインクジェット記録方法およびインクジェット記録装置における前記境界部Ｃの形成は、表１の凝集度データおよび表２の色相データを用い、例えば、つぎのようにして実施される。
【０１１１】
まず、図４（Ａ）および（Ｂ）に示すように、凝集度導出手段１１１により、前記凝集度データ１２１を参照して、前記インクＡおよび前記インクＢとの間の凝集度Ｇ（ＡＢ）を導出する（ステップＳ１）。例えば、前記実施形態１と同様に、前記インクＡがブラック（Ｂｋ）であり、前記インクＢがマゼンタ（Ｍ）の場合、前記凝集度Ｇ（ＡＢ）は「８」となる。
【０１１２】
つぎに、図４（Ａ）および（Ｂ）に示すように、インク選択手段１１２により、導出された前記凝集度Ｇ（ＡＢ）に基づき、前記凝集度データ１２１から、前記条件（Ｉ）を満たすように、前記インクＣを構成するインクを選択する（ステップＳ２）。例えば、前記凝集度Ｇ（ＡＢ）が「８」の場合、「８」を超える凝集度のインクの組み合わせは、ブラック（Ｂｋ）およびイエロー（Ｙ）の「１０」と、ブラック（Ｂｋ）および混合インク（Ｙ：Ｍ＝５：５）の「９」である。したがって、前記条件（Ｉ）を満たすインクＣは、前記凝集度データ１２１から、イエロー（Ｙ）または混合インク（Ｙ：Ｍ＝５：５）を選択することができる。
【０１１３】
つぎに、図４（Ａ）および（Ｂ）に示すように、インクＣが複数存在するか否かを判断する（ステップＳ３）。複数存在しない場合（Ｎｏ）は、後述のようにして、前記境界部Ｃの記録を実施する。複数存在する場合（Ｙｅｓ）は、色差導出手段１１５において、前記インクＡと前記インクＣの色差ΔＥ（ＡＣ）および前記インクＢと前記インクＣの色差ΔＥ（ＢＣ）を、色相データ１２３から導出する（ステップＳ３−１）。ついで、色差選択手段１１６において、色相データ１２３を参照し、導出された色差ΔＥ（ＡＣ）および色差ΔＥ（ＢＣ）から、前記条件（ＩＩＩ）を満たすインクＣを一つ選択する（ステップＳ３−２）。例えば、前記インクＡがブラック（Ｂｋ）であり、前記インクＢがマゼンタ（Ｍ）の場合、イエロー（Ｙ）および混合インク（Ｙ：Ｍ＝５：５）の二つが選択されたので、インクＣが複数存在することになる。したがって、色相データ１２３から、イエロー（Ｙ）および混合インク（Ｙ：Ｍ＝５：５）のそれぞれの前記色差ΔＥ（ＡＣ）および前記色差ΔＥ（ＢＣ）を導出すると下記のようになる。したがって最小の色差は、混合インク（Ｙ：Ｍ＝５：５）の場合の前記色差ΔＥ（ＢＣ）＝４７．１７であるから、混合インク（Ｙ：Ｍ＝５：５）を選択する。
イエロー（Ｙ）の場合
色差ΔＥ（ＡＣ）＝１１７．０４
色差ΔＥ（ＢＣ）＝１３１．３８
混合インク（Ｙ：Ｍ＝５：５）の場合
色差ΔＥ（ＡＣ）＝８４．２０
色差ΔＥ（ＢＣ）＝４７．１７
【０１１４】
つぎに、図４（Ａ）および（Ｂ）に示すように、インク選択手段１１２または色差選択手段１１６からの指示に基づき、インク吐出手段１３０により、選択されたインクを吐出して前記境界部Ｃの記録を実施する（ステップＳ４）。前記実施形態１と同様に、インクジェット記録装置のインク収容部に、イエロー（Ｙ）、マゼンタ（Ｍ）、シアン（Ｃ）およびブラック（Ｂｋ）の四種類の単色インクが収容され、かつ混合インク（Ｙ：Ｍ＝５：５）が選択された場合は、５：５の割合で、イエロー（Ｙ）とマゼンタ（Ｍ）をそれぞれ吐出し、前記境界部Ｃ形成部分で、混合インク（Ｙ：Ｍ＝５：５）を調製すればよい。
【０１１５】
本実施形態では、前記凝集度Ｇ（ＡＢ）の導出および前記インクＣを構成するインクの選択に前記凝集度データを用いたが、本発明はこれに限定されず、前記凝集度データの有無は問わず、前記凝集度データを用いることなく、前記凝集度Ｇ（ＡＢ）を導出し、かつ、前記インクＣを構成するインクを選択してもよい。
【０１１６】
本実施形態では、前記色差の導出および前記条件（ＩＩＩ）を満たすインクＣの選択に前記色相データを用いたが、本発明はこれに限定されず、前記色相データの有無は問わず、前記色相データを用いることなく、前記色差を導出し、かつ、前記条件（ＩＩＩ）を満たすインクＣを選択してもよい。
【０１１７】
［実施形態５］
つぎに、図５に、前記条件（ＩＩ）および前記条件（ＩＩＩ）のいずれを利用するかを判断した上で、前記インクＣを構成するインクを選択する例のフローチャート（図５（Ａ））およびブロック図（図５（Ｂ））を示す。図５（Ｂ）のブロック図は、本実施形態のインクジェット記録装置における前記制御手段、前記データ記憶手段および前記インク吐出手段の関係を示す。図５（Ｂ）に示すように、前記データ記憶手段１２０は、凝集度データ１２１および色相データ１２３が格納されており、前記制御手段１１０は、凝集度導出手段１１１、インク選択手段１１２、付加条件選択手段１１７、明度導出手段１１３、明度選択手段１１４、色差導出手段１１５および色差選択手段１１６を含む。前記色相データ１２３には、明度データ１２２が含まれる。凝集度導出手段１１１、インク選択手段１１２および明度選択手段１１４は、凝集度データ１２１と接続している。明度導出手段１１３は、明度データ１２２と接続している。色差導出手段１１５および色差選択手段１１６は、色相データ１２３と接続している。
【０１１８】
本実施形態のインクジェット記録方法およびインクジェット記録装置における前記境界部Ｃの形成は、表１の凝集度データおよび表２の色相データを用い、例えば、つぎのようにして実施される。
【０１１９】
まず、図５（Ａ）および（Ｂ）に示すように、凝集度導出手段１１１により、前記凝集度データ１２１を参照して、前記インクＡおよび前記インクＢとの間の凝集度Ｇ（ＡＢ）を導出する（ステップＳ１）。例えば、前記実施形態１と同様に、前記インクＡがブラック（Ｂｋ）であり、前記インクＢがマゼンタ（Ｍ）の場合、前記凝集度Ｇ（ＡＢ）は「８」となる。
【０１２０】
つぎに、図５（Ａ）および（Ｂ）に示すように、インク選択手段１１２により、導出された前記凝集度Ｇ（ＡＢ）に基づき、前記凝集度データ１２１から、前記条件（Ｉ）を満たすように、前記インクＣを構成するインクを選択する（ステップＳ２）。例えば、前記凝集度Ｇ（ＡＢ）が「８」の場合、「８」を超える凝集度のインクの組み合わせは、ブラック（Ｂｋ）およびイエロー（Ｙ）の「１０」と、ブラック（Ｂｋ）および混合インク（Ｙ：Ｍ＝５：５）の「９」である。したがって、前記条件（Ｉ）を満たすインクＣは、前記凝集度データ１２１から、イエロー（Ｙ）または混合インク（Ｙ：Ｍ＝５：５）を選択することができる。
【０１２１】
つぎに、図５（Ａ）および（Ｂ）に示すように、インクＣが複数存在するか否かを判断する（ステップＳ３）。複数存在しない場合（Ｎｏ）は、後述のようにして、前記境界部Ｃの記録を実施する。複数存在する場合（Ｙｅｓ）は、付加条件選択手段１１７により、条件（ＩＩ）および条件（ＩＩＩ）のいずれを利用するかを判断する（ステップＳ４）。例えば、前記インクＡがブラック（Ｂｋ）であり、前記インクＢがマゼンタ（Ｍ）の場合、イエロー（Ｙ）および混合インク（Ｙ：Ｍ＝５：５）の二つが選択されたので、インクＣが複数存在することになる。したがって、付加条件選択手段１１７により、条件（ＩＩ）および条件（ＩＩＩ）のいずれを利用するかを判断する。前記付加条件選択手段における条件（ＩＩ）および条件（ＩＩＩ）のいずれを利用するかの判断手法は、特に限定されず、いかなる手法であってもよい。前記判断手法としては、例えば、前記凝集度Ｇ（ＡＣ）または前記凝集度Ｇ（ＢＣ）と、前記凝集度Ｇ（ＡＢ）との最大差が所定の値ｊを超える場合に、条件（ＩＩ）を利用すると判断する手法があげられる。具体的には、例えば、前記凝集度Ｇ（ＡＢ）が「２」、前記凝集度Ｇ（ＡＣ）の最大値が「９」、ｊ＝５の場合に、前記条件（ＩＩ）を利用すると判断する。また、前記判断手法としては、例えば、前記複数のインクＣの中に、前記インクＡまたは前記インクＢと同系色のインクが含まれる場合に、条件（ＩＩＩ）を利用すると判断する手法もあげられる。具体的には、前記インクＡがブラック（Ｂｋ）、前記インクＢがマゼンタ（Ｍ）であり、前記複数のインクＣの中に前記インクＢと同系色のライトマゼンタ（ＬＭ）が含まれる場合に、前記条件（ＩＩＩ）を利用すると判断する。
【０１２２】
条件（ＩＩ）を利用する場合は、明度導出手段１１３により、前記明度データ１２２を参照して、前記インクＡの明度Ｌ＊（Ａ）および前記インクＢの明度Ｌ＊（Ｂ）を導出する（ステップＳ４−１ａ）。例えば、前記インクＡがブラック（Ｂｋ）であり、前記インクＢがマゼンタ（Ｍ）の場合、前記明度Ｌ＊（Ａ）は「１０」であり、前記明度Ｌ＊（Ｂ）は「５２」となる。ついで、明度選択手段１１４により、導出された前記凝集度Ｇ（ＡＢ）、前記明度Ｌ＊（Ａ）および前記明度Ｌ＊（Ｂ）に基づき、前記凝集度データ１２１から、前記条件（ＩＩ）を満たすように、前記インクＣを構成するインクを選択する（ステップＳ４−２ａ）。例えば、前記インクＡがブラック（Ｂｋ）であり、前記インクＢがマゼンタ（Ｍ）の場合、前記明度Ｌ＊（Ａ）は「１０」であり、前記明度Ｌ＊（Ｂ）は「５２」となり、前記条件（ＩＩ）では、前記式（３）の「明度Ｌ＊（Ａ）＜明度Ｌ＊（Ｂ）」の場合に該当する。この場合、前記式（１）の「凝集度Ｇ（ＡＣ）＞凝集度Ｇ（ＡＢ）」を満たすようにする必要がある。前記の場合、前記凝集度Ｇ（ＡＢ）は「８」であるから、「８」を超える凝集度のインクの組み合わせは、ブラック（Ｂｋ）およびイエロー（Ｙ）の「１０」と、ブラック（Ｂｋ）および混合インク（Ｙ：Ｍ＝５：５）の「９」であり、両者とも前記式（１）を満たす。したがって、前記条件（Ｉ）および前記条件（ＩＩ）を満たすインクＣは、前記凝集度データ１２１から、イエロー（Ｙ）および混合インク（Ｙ：Ｍ＝５：５）を選択することができる。
【０１２３】
一方、条件（ＩＩＩ）を利用する場合は、色差導出手段１１５において、前記インクＡと前記インクＣの色差ΔＥ（ＡＣ）および前記インクＢと前記インクＣの色差ΔＥ（ＢＣ）を、色相データ１２３から導出する（ステップＳ４−１ｂ）。ついで、色差選択手段１１６において、色相データ１２３を参照し、導出された色差ΔＥ（ＡＣ）および色差ΔＥ（ＢＣ）から、前記条件（ＩＩＩ）を満たすインクＣを一つ選択する（ステップＳ４−２ｂ）。例えば、前記インクＡがブラック（Ｂｋ）であり、前記インクＢがマゼンタ（Ｍ）の場合、色相データ１２３から、イエロー（Ｙ）および混合インク（Ｙ：Ｍ＝５：５）のそれぞれの前記色差ΔＥ（ＡＣ）および前記色差ΔＥ（ＢＣ）を導出すると下記のようになる。したがって最小の色差は、混合インク（Ｙ：Ｍ＝５：５）の場合の前記色差ΔＥ（ＢＣ）＝４７．１７であるから、混合インク（Ｙ：Ｍ＝５：５）を選択する。
イエロー（Ｙ）の場合
色差ΔＥ（ＡＣ）＝１１７．０４
色差ΔＥ（ＢＣ）＝１３１．３８
混合インク（Ｙ：Ｍ＝５：５）の場合
色差ΔＥ（ＡＣ）＝８４．２０
色差ΔＥ（ＢＣ）＝４７．１７
【０１２４】
つぎに、図５（Ａ）および（Ｂ）に示すように、インク選択手段１１２、明度選択手段１１４または色差選択手段１１６からの指示に基づき、インク吐出手段１３０により、選択されたインクを吐出して前記境界部Ｃの記録を実施する（ステップＳ５）。前記実施形態１と同様に、インクジェット記録装置のインク収容部に、イエロー（Ｙ）、マゼンタ（Ｍ）、シアン（Ｃ）およびブラック（Ｂｋ）の四種類の単色インクが収容され、かつ混合インク（Ｙ：Ｍ＝５：５）が選択された場合は、５：５の割合で、イエロー（Ｙ）とマゼンタ（Ｍ）をそれぞれ吐出し、前記境界部Ｃ形成部分で、混合インク（Ｙ：Ｍ＝５：５）を調製すればよい。
【０１２５】
本実施形態では、前記凝集度Ｇ（ＡＢ）の導出に前記凝集度データを用い、かつ、前記明度の導出に前記明度データを用いたが、本発明はこれに限定されず、前記凝集度データおよび前記明度データの有無は問わず、前記凝集度データおよび前記明度データの一方のみを用いてもよいし、双方を用いなくてもよい。
【０１２６】
本実施形態では、前記色差の導出および前記条件（ＩＩＩ）を満たすインクＣの選択に前記色相データを用いたが、本発明はこれに限定されず、前記色相データの有無は問わず、前記色相データを用いることなく、前記色差を導出し、かつ、前記条件（ＩＩＩ）を満たすインクＣを選択してもよい。
【０１２７】
［実施形態６］
つぎに、図６に、前記凝集度の導出および前記明度の導出を同時に実施して、前記インクＣを構成するインクを選択する例のフローチャート（図６（Ａ））およびブロック図（図６（Ｂ））を示す。図６（Ｂ）のブロック図は、本実施形態のインクジェット記録装置における前記制御手段、前記データ記憶手段および前記インク吐出手段の関係を示す。図６（Ｂ）に示すように、前記データ記憶手段１２０は、凝集度データ１２１および明度データ１２２が格納されており、前記制御手段１１０は、凝集度導出手段１１１、明度導出手段１１３およびインク選択手段１１２を含む。凝集度導出手段１１１およびインク選択手段１１２は、凝集度データ１２１と接続している。明度導出手段１１３は、明度データ１２２と接続している。
【０１２８】
本実施形態のインクジェット記録方法およびインクジェット記録装置における前記境界部Ｃの形成は、表１の凝集度データおよび表２の明度データを用い、例えば、つぎのようにして実施される。
【０１２９】
まず、図６（Ａ）および（Ｂ）に示すように、凝集度導出手段１１１により、前記インクＡおよび前記インクＢとの間の凝集度Ｇ（ＡＢ）を導出する（ステップＳ１−１）。例えば、前記実施形態１と同様に、前記インクＡがブラック（Ｂｋ）であり、前記インクＢがマゼンタ（Ｍ）の場合、前記凝集度Ｇ（ＡＢ）は「８」となる。前記凝集度の導出と同時に、図６（Ａ）および（Ｂ）に示すように、明度導出手段１１３により、前記インクＡの明度Ｌ＊（Ａ）および前記インクＢの明度Ｌ＊（Ｂ）を導出する（ステップＳ１−２）。例えば、前記インクＡがブラック（Ｂｋ）であり、前記インクＢがマゼンタ（Ｍ）の場合、前記明度Ｌ＊（Ａ）は「１０」であり、前記明度Ｌ＊（Ｂ）は「５２」となる。
【０１３０】
つぎに、図６（Ａ）および（Ｂ）に示すように、インク選択手段１１２により、導出された前記凝集度Ｇ（ＡＢ）、前記明度Ｌ＊（Ａ）および前記明度Ｌ＊（Ｂ）に基づき、前記条件（Ｉ）および前記条件（ＩＩ）を満たすように、前記インクＣを構成するインクを選択する（ステップＳ２）。例えば、前記インクＡがブラック（Ｂｋ）であり、前記インクＢがマゼンタ（Ｍ）の場合、前記明度Ｌ＊（Ａ）は「１０」であり、前記明度Ｌ＊（Ｂ）は「５２」となり、前記条件（ＩＩ）では、前記式（３）の「明度Ｌ＊（Ａ）＜明度Ｌ＊（Ｂ）」の場合に該当する。この場合、前記式（１）「凝集度Ｇ（ＡＣ）＞凝集度Ｇ（ＡＢ）」を満たすようにする必要がある。前記の場合、前記凝集度Ｇ（ＡＢ）は「８」であるから、「８」を超える凝集度のインクの組み合わせは、ブラック（Ｂｋ）およびイエロー（Ｙ）の「１０」と、ブラック（Ｂｋ）および混合インク（Ｙ：Ｍ＝５：５）の「９」であり、両者とも前記式（１）を満たす。したがって、前記条件（Ｉ）および前記条件（ＩＩ）を満たすインクＣは、前記凝集度データ１２１から、イエロー（Ｙ）または混合インク（Ｙ：Ｍ＝５：５）を選択することができる。
【０１３１】
つぎに、図６（Ａ）および（Ｂ）に示すように、インク選択手段１１２からの指示に基づき、インク吐出手段１３０により、選択されたインクを吐出して前記境界部Ｃの記録を実施する（ステップＳ３）。
【０１３２】
条件（Ｉ）を満たすインクが１つである場合には、明度を導出し、条件（ＩＩ）を満たすインクを選択する必要はないが、条件（Ｉ）を満たすインクが複数存在する場合には、本実施形態のように凝集度の導出および明度の導出を同時に実施することで、前記条件（Ｉ）および前記条件（ＩＩ）の双方を満たすインクを短時間で選択できる。
【０１３３】
本実施形態では、前記条件（ＩＩＩ）を用いていないが、本発明はこれに限定されず、実施形態３と同様に、前記インクＣを構成するインクの選択の後、前記境界部Ｃの記録に先立ち、前記条件（ＩＩＩ）を用いてもよい。
【０１３４】
［実施形態７］
本実施形態は、下記条件（Ｘ）を用い、前記実施形態３と同様にして、前記インクＣを選択し、前記境界部Ｃを形成した例である。なお、前記条件（Ｘ）は、前記条件（ＩＩ´）において、前記凝集度Ｇ（ＡＢ）に閾値８を設定し、前記閾値に応じて、差の大きさｋ＝２の適否を判断する条件である。
【０１３５】
条件（Ｘ）
（ｉ）明度Ｌ＊（Ａ）≦明度Ｌ＊（Ｂ）、かつ、凝集度Ｇ（ＡＢ）＜８の場合
凝集度Ｇ（ＡＣ）＞凝集度Ｇ（ＡＢ）＋２
（ｉｉ）明度Ｌ＊（Ａ）≦明度Ｌ＊（Ｂ）、かつ、凝集度Ｇ（ＡＢ）≧８の場合
凝集度Ｇ（ＡＣ）＞凝集度Ｇ（ＡＢ）
（ｉｉｉ）明度Ｌ＊（Ａ）＞明度Ｌ＊（Ｂ）、かつ、凝集度Ｇ（ＡＢ）＜８の場合
凝集度Ｇ（ＢＣ）＞凝集度Ｇ（ＡＢ）＋２
（ｉｖ）明度Ｌ＊（Ａ）＞明度Ｌ＊（Ｂ）、かつ、凝集度Ｇ（ＡＢ）≧８の場合
凝集度Ｇ（ＢＣ）＞凝集度Ｇ（ＡＢ）
【０１３６】
まず、図３（Ａ）および（Ｂ）に示すように、前記ステップＳ１において、表１の凝集度データから、前記凝集度Ｇ（ＡＢ）＝８が導出される。
【０１３７】
つぎに、図３（Ａ）および（Ｂ）に示すように、前記ステップＳ２において、表１の凝集度データから、イエロー（Ｙ）（凝集度１０）および混合インク（Ｙ：Ｍ＝５：５）（凝集度９）の２つのインクが選択される。この結果、前記ステップＳ３において、前記条件（Ｉ）を満たすインクＣが複数存在する（Ｙｅｓ）と判定され、ステップＳ３−１に進む。
【０１３８】
つぎに、図３（Ａ）および（Ｂ）に示すように、前記ステップＳ３−１において、表２の色相データから、前記明度Ｌ＊（Ａ）＝１０および前記明度Ｌ＊（Ｂ）＝５２が導出される。したがって、前記条件（Ｘ）の前記（ｉｉ）が適用され、インクＣとして凝集度８を超えることが条件となる。
【０１３９】
つぎに、図３（Ａ）および（Ｂ）に示すように、前記ステップＳ３−２において、凝集度８を超えるインクＣを構成するインクとして、イエロー（Ｙ）および混合インク（Ｙ：Ｍ＝５：５）の２つのインクが選択される。この結果、前記ステップＳ４において、前記条件（ＩＩ）を満たすインクＣが複数存在する（Ｙｅｓ）と判定され、ステップＳ４−１に進む。
【０１４０】
つぎに、図３（Ａ）および（Ｂ）に示すように、前記ステップＳ４−１において、表２の色相データから、前記２つのインクそれぞれについて、前記色差ΔＥ（ＡＣ）および前記色差ΔＥ（ＢＣ）が導出される。つぎに、前記ステップＳ４−２において、前記条件（ＩＩＩ）を満たすインクＣとして、混合インク（Ｙ：Ｍ＝５：５）が選択される。
【０１４１】
つぎに、図３（Ａ）および（Ｂ）に示すように、前記ステップＳ５において、混合インク（Ｙ：Ｍ＝５：５）により、前記境界部Ｃの記録が実施される。
【０１４２】
［実施形態８］
本実施形態は、前記インクＡとしてブラック（Ｂｋ）を使用し、前記インクＢとして混合インク（Ｍ：Ｃ＝５：５）を使用した他は、前記実施形態７と同様にして、前記インクＣを選択し、前記境界部Ｃを形成した例である。
【０１４３】
まず、図３（Ａ）および（Ｂ）に示すように、前記ステップＳ１において、表１の凝集度データから、前記凝集度Ｇ（ＡＢ）＝５が導出される。
【０１４４】
つぎに、図３（Ａ）および（Ｂ）に示すように、前記ステップＳ２において、表１の凝集度データから、イエロー（Ｙ）（凝集度１０）、マゼンタ（Ｍ）（凝集度８）、混合インク（Ｙ：Ｍ＝５：５）（凝集度９）および混合インク（Ｙ：Ｃ＝５：５）（凝集度６）の４つのインクが選択される。この結果、前記ステップＳ４において、前記条件（Ｉ）を満たすインクＣが複数存在する（Ｙｅｓ）と判定され、ステップＳ３−１に進む。
【０１４５】
つぎに、図３（Ａ）および（Ｂ）に示すように、前記ステップＳ３−１において、表２の色相データから、前記明度Ｌ＊（Ａ）＝１０および前記明度Ｌ＊（Ｂ）＝５０が導出される。したがって、前記条件（Ｘ）の前記（ｉ）が適用され、インクＣとして凝集度７を超えることが条件となる。
【０１４６】
つぎに、図３（Ａ）および（Ｂ）に示すように、前記ステップＳ３−２において、凝集度７を超えるインクＣを構成するインクとして、イエロー（Ｙ）、マゼンタ（Ｍ）および混合インク（Ｙ：Ｍ＝５：５）の３つのインクが選択される。この結果、前記ステップＳ４において、前記条件（ＩＩ）を満たすインクＣが複数存在する（Ｙｅｓ）と判定され、ステップＳ４−１に進む。
【０１４７】
つぎに、図３（Ａ）および（Ｂ）に示すように、前記ステップＳ４−１において、表２の色相データから、前記３つのインクそれぞれについて、前記色差ΔＥ（ＡＣ）および前記色差ΔＥ（ＢＣ）が導出される。つぎに、前記ステップＳ４−２において、前記条件（ＩＩＩ）を満たすインクＣとして、混合インク（Ｙ：Ｍ＝５：５）が選択される。
【０１４８】
つぎに、図３（Ａ）および（Ｂ）に示すように、前記ステップＳ５において、混合インク（Ｙ：Ｍ＝５：５）により、前記境界部Ｃの記録が実施される。
【実施例】
【０１４９】
つぎに、本発明の実施例について比較例と併せて説明する。なお、本発明は、下記の実施例および比較例により限定ないし制限されない。
【０１５０】
（インクの調製）
（１）顔料水性黒色インク
インク組成成分（表３）のうち、「ＣＡＢ−Ｏ−ＪＥＴ（登録商標）３００」を除く成分を、均一に混合しインク溶媒を得た。つぎに、「ＣＡＢ−Ｏ−ＪＥＴ（登録商標）３００」に前記インク溶媒を徐々に加え、均一に混合した。その後、得られた混合物を東洋濾紙（株）製のセルロースアセテートタイプメンブレンフィルタ（孔径３．００μｍ）でろ過することで、インクジェット記録用顔料水性黒色インク（Ｂｋ−１）を得た。
（２）染料水性インク
インク組成成分（表３）を均一に混合した後、得られた混合物を、東洋濾紙（株）製の親水性ポリテトラフルオロエチレン（ＰＴＦＥ）タイプメンブレンフィルタ（孔径０．２０μｍ）でろ過することで、インクジェット記録用染料水性イエローインク（Ｙ−１〜Ｙ−３）、水性マゼンタインク（Ｍ−１、Ｍ−２）、水性ライトマゼンタインク（ＬＭ−１）および水性シアンインク（Ｃ−１、Ｃ−２）を調製した。
【０１５１】
【表３】
2010149344.tif 000005
【０１５２】
（凝集度評価）
まず、図９（Ａ）に示すように、インク３２およびインク３３を、柴田科学（株）製の分注器デジフィットＡＵ−２０を用いて、それぞれ、３μＬずつ清浄なスライドグラス３１上に約１０ｍｍ離して滴下した。ついで、図９（Ｂ）に示すように、前記滴下したインクをカバーグラス３４で覆うことで、両インクを接触させた。このようにして作製したプレパラートの前記両インクの界面３５を、（株）ニコン製の工業顕微鏡ＥＣＬＩＰＳＥ  ＬＶ１００Ｄで２０倍の倍率で観察し、下記評価基準に従って評価した。
【０１５３】
凝集度評価  評価基準
１：図１２（Ａ）に示すように、両インクの界面３５に、凝集は見られなかった。
２：図１２（Ｂ）に示すように、両インクの界面３５付近に、凝集による小さな固形物３６が見られた。
３：図１２（Ｃ）に示すように、両インクの界面３５付近に、凝集による大きな固形物３７が見られた。
【０１５４】
（ブリーディング評価）
表３中の水性インクのうちＢｋ−１およびＢｋ−１以外の２〜３種類のインクを、それぞれ、インクカートリッジに充填した。ついで、前記インクカートリッジを、ブラザー工業（株）製のインクジェットプリンタ搭載デジタル複合機ＤＣＰ−３３０Ｃに装着した。つぎに、普通紙（ＸＥＲＯＸ社製の「Ｒｅｃｙｃｌｅｄ  Ｓｕｐｒｅｍｅ」）にＢｋ−１および前記Ｂｋ−１以外の２〜３種類のインク中の１〜２種類の水性インクを用いてブリーディング評価用サンプル１（図１１（Ａ））を記録した。ついで、前記普通紙にＢｋ−１および前記Ｂｋ−１以外の２〜３種類の水性インクを用いてブリーディング評価用サンプル２（図１１（Ｂ））を記録した。前記ブリーディング評価用サンプル１は、記録部Ａ（２１）と記録部Ｂ（２２）が接して記録されたものであり、前記ブリーディング評価用サンプル２は、記録部Ａ（２１）と境界部Ｃ（２３）、および記録部Ｂ（２２）と境界部Ｃ（２３）とが接して記録されたものである。前記ブリーディング評価用サンプル１および前記ブリーディング評価用サンプル２の記録部Ａと記録部Ｂの間のブリーディングを目視で比較し、下記評価基準に従って評価した。
【０１５５】
ブリーディング評価  評価基準
Ｇ  ：ブリーディング評価サンプル１よりブリーディング評価サンプル２のブリーディングが良好であった。
ＮＧ：ブリーディング評価サンプル１よりブリーディング評価サンプル２のブリーディングが劣っていたか、前記両ブリーディングが同等であった。
【０１５６】
［実施例１］
前記インクＡとしてＢｋ−１を、前記インクＢとしてＣ−１を、前記インクＣとしてＹ−１を用いて前記凝集度評価を行ったところ、凝集度Ｇ（ＡＢ）＝１、凝集度Ｇ（ＡＣ）＝２となり、前記条件（Ｉ）を満たした。
【０１５７】
［実施例２］
前記インクＡとしてＢｋ−１を、前記インクＢとして（Ｙ−１：Ｃ−１＝５：５）を、前記インクＣとしてＹ−２を用いて前記凝集度評価を行ったところ、凝集度Ｇ（ＡＢ）＝２、凝集度Ｇ（ＡＣ）＝３となり、前記条件（Ｉ）を満たした。
【０１５８】
［実施例３］
前記インクＡとしてＢｋ−１を、前記インクＢとしてＹ−１を、前記インクＣとしてＹ−３を用いて前記凝集度評価を行ったところ、凝集度Ｇ（ＡＢ）＝２、凝集度Ｇ（ＡＣ）＝３となり、前記条件（Ｉ）を満たした。
【０１５９】
［実施例４］
前記インクＡとしてＢｋ−１を、前記インクＢとしてＭ−１を、前記インクＣとしてＹ−３を用いて前記凝集度評価を行ったところ、凝集度Ｇ（ＡＢ）＝１、凝集度Ｇ（ＡＣ）＝３となり、前記条件（Ｉ）を満たした。
【０１６０】
［実施例５］
前記インクＡとしてＢｋ−１を、前記インクＢとして（Ｙ−１：Ｍ−１＝５：５）を、前記インクＣとしてＬＭ−１を用いて前記凝集度評価を行ったところ、凝集度Ｇ（ＡＢ）＝２、凝集度Ｇ（ＡＣ）＝３となり、前記条件（Ｉ）を満たした。
【０１６１】
［実施例６］
前記インクＡとしてＢｋ−１を、前記インクＢとしてＭ−１を、前記インクＣとして（Ｙ−２：Ｍ−１＝５：５）を用いて前記凝集度評価を行ったところ、凝集度Ｇ（ＡＢ）＝１、凝集度Ｇ（ＡＣ）＝３となり、前記条件（Ｉ）を満たした。
【０１６２】
［比較例１］
前記インクＡとしてＢｋ−１を、前記インクＢとしてＹ−１を、前記インクＣとしてＣ−１を用いて前記凝集度評価を行ったところ、凝集度Ｇ（ＡＢ）＝２、凝集度Ｇ（ＡＣ）＝１となり、前記条件（Ｉ）を満たさなかった。
【０１６３】
［比較例２］
前記インクＡとしてＢｋ−１を、前記インクＢとして（Ｙ−１：Ｃ−１＝５：５）を、前記インクＣとしてＹ−１を用いて前記凝集度評価を行ったところ、凝集度Ｇ（ＡＢ）＝２、凝集度Ｇ（ＡＣ）＝２となり、前記条件（Ｉ）を満たさなかった。
【０１６４】
［比較例３］
前記インクＡとしてＢｋ−１を、前記インクＢとしてＭ−２を、前記インクＣとしてＣ−１を用いて前記凝集度評価を行ったところ、凝集度Ｇ（ＡＢ）＝２、凝集度Ｇ（ＡＣ）＝１となり、前記条件（Ｉ）を満たさなかった。
【０１６５】
［比較例４］
前記インクＡとしてＢｋ−１を、前記インクＢとしてＣ−２を、前記インクＣとしてＣ−１を用いて前記凝集度評価を行ったところ、凝集度Ｇ（ＡＢ）＝３、凝集度Ｇ（ＡＣ）＝１となり、前記条件（Ｉ）を満たさなかった。
【０１６６】
実施例および比較例で用いたインクの種類、凝集度およびブリーディング評価結果を、表４に示す。
【０１６７】
【表４】
2010149344.tif 000006
【０１６８】
表４に示すとおり、前記条件（Ｉ）を満たした実施例１〜６は、ブリーディング評価結果が優れていた。一方、前記条件（Ｉ）を満たさなかった比較例１〜４は、ブリーディング評価結果が劣っていた。なお、比較例４では、前記インクＣであるＣ−１の浸透性が、前記インクＢであるＣ−２の浸透性よりも高いが、ブリーディングの改善は見られなかった。
【産業上の利用可能性】
【０１６９】
以上のように、本発明のインクジェット記録方法は、コストが低く、記録物の記録品質に優れ、かつブリーディングを効果的に防止可能なものである。本発明のインクジェット記録方法は、各種のインクジェット記録に広く適用可能である。
【図面の簡単な説明】
【０１７０】
【図１】図１（Ａ）は、本発明の実施形態１におけるフローチャートであり、図１（Ｂ）は、本発明の実施形態１におけるインクジェット記録装置の制御手段、データ記憶手段およびインク吐出手段の関係を示すブロック図である。
【図２】図２（Ａ）は、本発明の実施形態２におけるフローチャートであり、図２（Ｂ）は、本発明の実施形態２におけるインクジェット記録装置の制御手段、データ記憶手段およびインク吐出手段の関係を示すブロック図である。
【図３】図３（Ａ）は、本発明の実施形態３におけるフローチャートであり、図３（Ｂ）は、本発明の実施形態３におけるインクジェット記録装置の制御手段、データ記憶手段およびインク吐出手段の関係を示すブロック図である。
【図４】図４（Ａ）は、本発明の実施形態４におけるフローチャートであり、図４（Ｂ）は、本発明の実施形態４におけるインクジェット記録装置の制御手段、データ記憶手段およびインク吐出手段の関係を示すブロック図である。
【図５】図５（Ａ）は、本発明の実施形態５におけるフローチャートであり、図５（Ｂ）は、本発明の実施形態５におけるインクジェット記録装置の制御手段、データ記憶手段およびインク吐出手段の関係を示すブロック図である。
【図６】図６（Ａ）は、本発明の実施形態６におけるフローチャートであり、図６（Ｂ）は、本発明の実施形態６におけるインクジェット記録装置の制御手段、データ記憶手段およびインク吐出手段の関係を示すブロック図である。
【図７】図７（Ａ）および図７（Ｂ）は、境界部Ｃを説明する図である。
【図８】図８（Ａ）および図８（Ｂ）は、境界部Ｃにおける記録ドットについて説明する図である。
【図９】図９（Ａ）および図９（Ｂ）は、２種類のインク間の凝集度の測定方法の一例を説明する図である。
【図１０】図１０は、本発明のインクジェット記録装置の構成の一例を示す図である。
【図１１】図１１（Ａ）および図１１（Ｂ）は、本発明の実施例におけるブリーディング評価方法を説明する図である。
【図１２】図１２（Ａ）および図１２（Ｂ）は、本発明の実施例における凝集度評価の評価基準を説明する図である。
【符号の説明】
【０１７１】
１          インクジェット記録装置
２          インクカートリッジ
３          インクジェットヘッド
４          ヘッドユニット
５          キャリッジ
６          駆動ユニット
７          プラテンローラ
８          パージ装置
９          キャリッジ軸
１０        ガイド板
２１        記録部Ａ
２２        記録部Ｂ
２３        境界部Ｃ
３１        スライドグラス
３２、３３  インク
３４        カバーグラス
３５        界面
３６、３７  固形物
１１０      制御手段
１１１      凝集度導出手段
１１２      インク選択手段
１１３      明度導出手段
１１４      明度選択手段
１１５      色差導出手段
１１６      色差選択手段
１１７      付加条件選択手段
１２０      データ記憶手段
１２１      凝集度データ
１２２      明度データ
１２３      色相データ
１３０      インク吐出手段
【図１】
2010149344.tif 000007
【図２】
2010149344.tif 000008
【図３】
2010149344.tif 000009
【図４】
2010149344.tif 000010
【図５】
2010149344.tif 000011
【図６】
2010149344.tif 000012
【図７】
2010149344.tif 000013
【図８】
2010149344.tif 000014
【図９】
2010149344.tif 000015
【図１０】
2010149344.tif 000016
【図１１】
2010149344.tif 000017
【図１２】
2010149344.tif 000018